(57)【要約】  ユーザ機器（ＵＥ）を動作させる方法が説明される。アクセス試行のために適用されるべき、アクセスカテゴリーが複数のアクセスカテゴリーから決定され得、少なくとも１つのアクセス識別情報が複数のアクセス識別情報から決定され得る。複数のアクセスカテゴリーから決定されたアクセスカテゴリーに基づいておよび複数のアクセス識別情報からの少なくとも１つのアクセス識別情報に基づいて、アクセス試行のための確立原因が決定され得る。アクセス試行のための接続要求メッセージが無線通信ネットワークに送信され得、接続要求メッセージは、アクセスカテゴリーに基づいておよび少なくとも１つのアクセス識別情報に基づいて決定された確立原因を含む。関係するデバイスも説明される。【選択図】図９
2021510976.tif 000002
【特許請求の範囲】
【請求項１】
ユーザ機器（ＵＥ）を動作させる方法であって、
アクセス試行のために適用されるべき、複数のアクセスカテゴリーからのアクセスカテゴリーと複数のアクセス識別情報からの少なくとも１つのアクセス識別情報とを決定すること（２８０５、９０３、１１０３）と、
前記複数のアクセスカテゴリーから決定された前記アクセスカテゴリーに基づいて、かつ前記複数のアクセス識別情報からの前記少なくとも１つのアクセス識別情報に基づいて、前記アクセス試行のための確立原因を決定すること（２８０７、１１０４）と、
無線通信ネットワークに前記アクセス試行のための接続要求メッセージを送信すること（２８１５、１１０５）であって、前記接続要求メッセージが、前記アクセスカテゴリーに基づいて、かつ前記少なくとも１つのアクセス識別情報に基づいて決定された前記確立原因を含む、前記アクセス試行のための接続要求メッセージを送信すること（２８１５、１１０５）と
を含む、方法。
【請求項２】
前記確立原因が、モバイル着信アクセスと、緊急呼と、モバイル発信シグナリングと、モバイル発信ボイス呼と、モバイル発信データと、高優先度アクセスとを含む、複数の確立原因のうちの１つを含む、請求項１に記載の方法。
【請求項３】
前記確立原因が、前記アクセスカテゴリーに基づいておよび前記少なくとも１つのアクセス識別情報に基づいて、前記複数のアクセスカテゴリーから決定された前記アクセスカテゴリーを前記確立原因にマッピングすることに基づいてモバイル着信アクセス、緊急呼、モバイル発信シグナリング、モバイル発信ボイス呼、および／またはモバイル発信データのうちの１つであるものとして決定される、請求項２に記載の方法。
【請求項４】
前記確立原因は、前記複数のアクセスカテゴリーから決定された前記アクセスカテゴリーを前記確立原因にマッピングすることに基づいて、および前記ＵＥのための前記少なくとも１つのアクセス識別情報が０であることに基づいて決定される、請求項３に記載の方法。
【請求項５】
前記複数のアクセスカテゴリーがオペレータ規定アクセスカテゴリーを含む、請求項３または４に記載の方法。
【請求項６】
前記オペレータ規定アクセスカテゴリーが、データネットワーク名とスライス識別子とのうちの少なくとも１つに基づく、請求項５に記載の方法。
【請求項７】
前記無線通信ネットワークから前記オペレータ規定アクセスカテゴリーを受信すること（２８０１、９０１）
をさらに含む、請求項５または６に記載の方法。
【請求項８】
前記アクセスカテゴリーおよび前記少なくとも１つのアクセス識別情報を決定することは、前記オペレータ規定アクセスカテゴリーが前記アクセス試行のために適用されるべきであると決定することを含み、前記確立原因が、前記オペレータ規定アクセスカテゴリーを前記確立原因にマッピングすることに基づいて決定される、請求項５から７のいずれか一項に記載の方法。
【請求項９】
前記オペレータ規定アクセスカテゴリーが、データネットワーク名とスライス識別子とのうちの少なくとも１つに基づき、前記オペレータ規定アクセスカテゴリーをマッピングすることが、モバイル発信データのために前記オペレータ規定アクセスカテゴリーを前記確立原因にマッピングすることを含む、請求項８に記載の方法。
【請求項１０】
前記確立原因は、前記ＵＥのための前記少なくとも１つのアクセス識別情報が非０であることに基づいて、高優先度アクセスであるものとして決定される、請求項２に記載の方法。
【請求項１１】
前記複数のアクセスカテゴリーから決定された前記アクセスカテゴリーに基づいておよび前記複数のアクセス識別情報からの前記少なくとも１つのアクセス識別情報に基づいて、前記アクセス試行のためのアクセス規制チェックを実施すること（２８０９、９０６）と、
前記アクセス規制チェックが前記アクセス試行を許可したことに応答して、アクセス試行を進めること（２８１１、２８１３、９０８）と
をさらに含む、請求項１から１０のいずれか一項に記載の方法。
【請求項１２】
前記アクセス試行を進めることが、
前記アクセス規制チェックが前記アクセス試行を許可したことに応答して、無線通信ネットワークに前記アクセス試行のためのランダムアクセスプリアンブルを送信すること（２８１１、２０１）と、
前記ランダムアクセスプリアンブルを送信した後に前記アクセス試行のためのランダムアクセス応答を受信すること（２８１３、２０２）と
を含み、
前記接続要求メッセージが、前記ランダムアクセス応答を受信したことに応答して送信される、請求項１１に記載の方法。
【請求項１３】
アクセス試行を検出すること（２８０３、９０２）
をさらに含み、
前記アクセスカテゴリーが前記アクセス試行に基づいて決定される、請求項１から１２のいずれか一項に記載の方法。
【請求項１４】
前記アクセス試行が、新しいプロトコルデータユニット（ＰＤＵ）セッションを確立することと、ボイス呼をセットアップすることと、ビデオ呼をセットアップすることとのうちの少なくとも１つに基づいて検出される、請求項１３に記載の方法。
【請求項１５】
前記接続要求メッセージが無線リソース制御（ＲＲＣ）接続要求メッセージであり、前記確立原因がＲＲＣ確立原因である、請求項１から１４のいずれか一項に記載の方法。
【請求項１６】
前記接続要求メッセージが無線リソース制御（ＲＲＣ）再開要求メッセージであり、前記確立原因がＲＲＣ再開原因である、請求項１から１４のいずれか一項に記載の方法。
【請求項１７】
ユーザ機器（ＵＥ）であって、前記ＵＥは、
アクセス試行のために適用されるべき、複数のアクセスカテゴリーからのアクセスカテゴリーと複数のアクセス識別情報からの少なくとも１つのアクセス識別情報とを決定することと、
前記複数のアクセスカテゴリーから決定された前記アクセスカテゴリーに基づいて、かつ前記複数のアクセス識別情報からの前記少なくとも１つのアクセス識別情報に基づいて、前記アクセス試行のための確立原因を決定することと、
無線通信ネットワークに前記アクセス試行のための接続要求メッセージを送信することであって、前記接続要求メッセージが、前記アクセスカテゴリーに基づいて、かつ前記少なくとも１つのアクセス識別情報に基づいて決定された前記確立原因を含む、前記アクセス試行のための接続要求メッセージを送信することと
を行うように適応された、ユーザ機器（ＵＥ）。
【請求項１８】
前記確立原因が、モバイル着信アクセスと、緊急呼と、モバイル発信シグナリングと、モバイル発信ボイス呼と、モバイル発信データと、高優先度アクセスとを含む、複数の確立原因のうちの１つを含む、請求項１７に記載のＵＥ。
【請求項１９】
前記確立原因が、前記アクセスカテゴリーに基づいておよび前記少なくとも１つのアクセス識別情報に基づいて、前記複数のアクセスカテゴリーから決定された前記アクセスカテゴリーを前記確立原因にマッピングすることに基づいてモバイル着信アクセス、緊急呼、モバイル発信シグナリング、モバイル発信ボイス呼、および／またはモバイル発信データのうちの１つであるものとして決定される、請求項１８に記載のＵＥ。
【請求項２０】
前記確立原因は、前記複数のアクセスカテゴリーから決定された前記アクセスカテゴリーを前記確立原因にマッピングすることに基づいて、および前記ＵＥのための前記少なくとも１つのアクセス識別情報が０であることに基づいて決定される、請求項１９に記載のＵＥ。
【請求項２１】
前記複数のアクセスカテゴリーがオペレータ規定アクセスカテゴリーを含む、請求項１９または２０に記載のＵＥ。
【請求項２２】
前記オペレータ規定アクセスカテゴリーが、データネットワーク名とスライス識別子とのうちの少なくとも１つに基づく、請求項２１に記載のＵＥ。
【請求項２３】
前記ＵＥが、
前記無線通信ネットワークから前記オペレータ規定アクセスカテゴリーを受信すること
を行うようにさらに適応された、請求項２１または２２に記載のＵＥ。
【請求項２４】
前記アクセスカテゴリーおよび前記少なくとも１つのアクセス識別情報を決定することは、前記オペレータ規定アクセスカテゴリーが前記アクセス試行のために適用されるべきであると決定することを含み、前記確立原因が、前記オペレータ規定アクセスカテゴリーを前記確立原因にマッピングすることに基づいて決定される、請求項２１から２３のいずれか一項に記載のＵＥ。
【請求項２５】
前記オペレータ規定アクセスカテゴリーが、データネットワーク名とスライス識別子とのうちの少なくとも１つに基づき、前記オペレータ規定アクセスカテゴリーをマッピングすることが、モバイル発信データのために前記オペレータ規定アクセスカテゴリーを前記確立原因にマッピングすることを含む、請求項２４に記載のＵＥ。
【請求項２６】
前記確立原因は、前記ＵＥのための前記少なくとも１つのアクセス識別情報が非０であることに基づいて、高優先度アクセスであるものとして決定される、請求項１８に記載のＵＥ。
【請求項２７】
ユーザ機器（ＵＥ）であって、
無線インターフェース（１９１４）と、
前記無線インターフェース（１９１４）に結合された処理回路要素（１９２０）と、
プロセッサに結合されたデバイス可読媒体（１９３０）と
を備え、前記デバイス可読媒体は、前記処理回路要素によって実行されたとき、前記処理回路要素に、
アクセス試行のために適用されるべき、複数のアクセスカテゴリーからのアクセスカテゴリーと複数のアクセス識別情報からの少なくとも１つのアクセス識別情報とを決定することと、
前記複数のアクセスカテゴリーから決定された前記アクセスカテゴリーに基づいて、かつ前記複数のアクセス識別情報からの前記少なくとも１つのアクセス識別情報に基づいて、前記アクセス試行のための確立原因を決定することと、
前記無線インターフェース（１９１４）を通して無線通信ネットワークに前記アクセス試行のための接続要求メッセージを送信することであって、前記接続要求メッセージが、前記アクセスカテゴリーに基づいて、かつ前記少なくとも１つのアクセス識別情報に基づいて決定された前記確立原因を含む、前記アクセス試行のための接続要求メッセージを送信することと
を行わせる命令を備える、ユーザ機器（ＵＥ）。
【請求項２８】
前記確立原因が、モバイル着信アクセスと、緊急呼と、モバイル発信シグナリングと、モバイル発信ボイス呼と、モバイル発信データと、高優先度アクセスとを含む、複数の確立原因のうちの１つを含む、請求項２７に記載のＵＥ。
【請求項２９】
前記確立原因が、前記アクセスカテゴリーに基づいておよび前記少なくとも１つのアクセス識別情報に基づいて、前記複数のアクセスカテゴリーから決定された前記アクセスカテゴリーを前記確立原因にマッピングすることに基づいてモバイル着信アクセス、緊急呼、モバイル発信シグナリング、モバイル発信ボイス呼、および／またはモバイル発信データのうちの１つであるものとして決定される、請求項２８に記載のＵＥ。
【請求項３０】
前記確立原因は、前記複数のアクセスカテゴリーから決定された前記アクセスカテゴリーを前記確立原因にマッピングすることに基づいて、および前記ＵＥのための前記少なくとも１つのアクセス識別情報が０であることに基づいて決定される、請求項２９に記載のＵＥ。
【請求項３１】
前記複数のアクセスカテゴリーがオペレータ規定アクセスカテゴリーを含む、請求項２９または３０に記載のＵＥ。
【請求項３２】
前記オペレータ規定アクセスカテゴリーが、データネットワーク名とスライス識別子とのうちの少なくとも１つに基づく、請求項３１に記載のＵＥ。
【請求項３３】
前記デバイス可読媒体が、前記処理回路要素によって実行されたとき、前記処理回路要素に、
前記無線インターフェース（１９１４）を通して前記無線通信ネットワークから前記オペレータ規定アクセスカテゴリーを受信すること
を行わせる命令をさらに備える、請求項３１または３２に記載のＵＥ。
【請求項３４】
前記アクセスカテゴリーおよび前記少なくとも１つのアクセス識別情報を決定することは、前記オペレータ規定アクセスカテゴリーが前記アクセス試行のために適用されるべきであると決定することを含み、前記確立原因が、前記オペレータ規定アクセスカテゴリーを前記確立原因にマッピングすることに基づいて決定される、請求項３１から３３のいずれか一項に記載のＵＥ。
【請求項３５】
前記オペレータ規定アクセスカテゴリーが、データネットワーク名とスライス識別子とのうちの少なくとも１つに基づき、前記オペレータ規定アクセスカテゴリーをマッピングすることが、モバイル発信データのために前記オペレータ規定アクセスカテゴリーを前記確立原因にマッピングすることを含む、請求項３４に記載のＵＥ。
【請求項３６】
前記確立原因は、前記ＵＥのための前記少なくとも１つのアクセス識別情報が非０であることに基づいて、高優先度アクセスであるものとして決定される、請求項２８に記載のＵＥ。
【発明の詳細な説明】
【技術分野】
【０００１】
本開示は通信に関し、より詳細には、無線通信、ならびに関係する方法およびデバイスに関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００３】
無線通信システムへのアクセスを実施するとき、ユーザ機器（ＵＥ）は、ＵＥが通信機会を獲得することを希望することをネットワークにシグナリングしなければならない。これがどのように行われ得るかについて多くの方式がある。たとえば、ＵＥは、ＵＥが通信することを希望することをネットワークに指示することになるショートメッセージを送るために、エアインターフェースリソース（たとえば、時間、周波数）を利用することができる。その場合、ある通信の必要に関するさらなる詳細が、後続の通信中に発生することがある。
【０００４】
無線通信システムにアクセスするようにとの要求を実施するようにＵＥをトリガするイベントは、たとえば、ＵＥ中のソフトウェアモジュールなど、アプリケーションが、アップリンクユーザデータを送信し、および／またはダウンリンクユーザデータを受信する必要、シグナリングメッセージをネットワークノードと交換する必要、あるいは代替的に、両方の組合せであり得る。
【０００５】
図１に示されている簡略化された無線ネットワーク１００について考えると、ＵＥ（１０２）があり、ＵＥ（１０２）はアクセスノード（１０４）と通信し、アクセスノード（１０４）はネットワークノード（１０６）に接続される。
【０００６】
３ＧＰＰ  ＥＰＳ／ＬＴＥ標準仕様に従う無線通信システムでは、アクセスノード１０４は、一般に、エボルブドノードＢ（ｅＮＢ）に対応し、ネットワークノード１０６は、一般に、モビリティ管理エンティティ（ＭＭＥ）および／またはサービングゲートウェイ（ＳＧＷ）のいずれかに対応する。しかしながら、これらの例は説明の目的のためのものであり、アクセスノード１０４およびネットワークノード１０６は、必要とされる機能性を実施するのに好適な任意のネットワークノードに対応し得る。
【０００７】
３ＧＰＰ  ＬＴＥでは、ＵＥが、ＲＲＣ＿ＩＤＬＥ状態としても知られるアイドルモードにあるとき、ランダムアクセスプロシージャを始動し、その後にＲＲＣ接続確立プロシージャが続くことによって、通信についての要求が実施される。通信についての要求は、たとえば、新しいデータセッションをセットアップするようにとの要求、発信ボイス呼、ページングに対する返答、ＵＥ中のアプリケーションが、すでに確立されたデータセッションに属するデータパケットを送る必要があること、または、トラッキングエリア更新などのＮＡＳシグナリングプロシージャによってトリガされ得る。このトリガは、最初に、ＵＥ中の非アクセス層レイヤによって識別され、非アクセス層レイヤは、ＵＥ中の無線リソース制御（ＲＲＣ）レイヤに要求をフォワーディングし、ＲＲＣレイヤは、ランダムアクセスおよびＲＲＣ接続確立を実施するための、実際のプロシージャを始動する。
【０００８】
ランダムアクセスおよびＲＲＣ接続確立を示す高レベル流れ図について、図２を参照されたい。このシーケンスは、特別に割り当てられたチャネルまたはリソース上の、「ｍｓｇ１」としても知られる、ランダムアクセスプリアンブル（２０１）の送信で開始する。このランダムアクセスプリアンブルは、基地局またはｅＮＢによって受信されると、その後に、「ｍｓｇ２」としても知られるランダムアクセス応答（２０２）が続き、ランダムアクセス応答（２０２）は、継続的シグナリングのためのリソースの割り当てを含む。この場合、継続的シグナリングは、「ｍｓｇ３」としても知られるＲＲＣ接続要求（２０３）であり、ＲＲＣ接続要求（２０３）は、ＲＲＣ接続確立プロシージャにおける第１のメッセージである。
【０００９】
ＲＲＣ接続要求（２０３）メッセージは、一般に、たとえば、ＵＥの識別情報、または、乱数などの何らかの他の参照を含み、これは、ＲＲＣ接続セットアップ（２０４）におけるネットワークからの応答において、接続についてのこの特定の要求を指すために使用される。
【００１０】
図２は、３ＧＰＰ  ＬＴＥにおける、ランダムアクセスおよびＲＲＣ接続確立を示す。容易に了解されるように、アクセス試行が、エアインターフェースリソースを要することになる。初期メッセージ（２０１、プリアンブル）ならびにさらなるシグナリング（２０２〜２０５）のためのリソースの両方は、単に、後続のデータ転送のための通信リソースを設定およびセットアップするために、無線ネットワーク負荷を増やすことになる。何らかの通信が行われ得る前に、ネットワークエンティティとのなお一層の通信が必要とされるが、これらのステップが図２から省略されていることに留意されたい。
【００１１】
高負荷中など、いくつかの場合には、ネットワークは、ＵＥによるＲＲＣ接続についての要求を拒否し得る。そのような場合、ネットワークは、ＲＲＣ接続セットアップ（２０４）の代わりにＲＲＣ接続拒否メッセージを送り得る。ＵＥがそのような拒否を受信したとき、ＵＥは、場合によっては、新しい要求を実施する前に、拒否メッセージによって指示された時間中、アイドルモードにとどまる。ネットワークが、ＲＲＣ接続についての要求間で優先度を付けること、たとえば、通常の呼と比較して緊急呼を優先することが可能であるために、ＲＲＣ接続要求（２０３）メッセージはまた、接続を確立するための原因または理由、すなわち、３ＧＰＰにおいてＲＲＣ確立原因として規定されるものを含んでいる。ＬＴＥでは、ＵＥは、７つの指定された値（３ＧＰＰ  ＴＳ３６．３３１において指定されているこれらの値）、すなわち、ｅｍｅｒｇｅｎｃｙ、ｈｉｇｈＰｒｉｏｒｉｔｙＡｃｃｅｓｓ、ｍｔ−Ａｃｃｅｓｓ、ｍｏ−Ｓｉｇｎａｌｌｉｎｇ、ｍｏ−Ｄａｔａ、ｄｅｌａｙＴｏｌｅｒａｎｔＡｃｃｅｓｓ、ｍｏ−ＶｏｉｃｅＣａｌｌの中からＲＲＣ確立原因値を選択する。ＵＥによって選択されるのがどのＲＲＣ確立原因値（すなわちトリガおよび／またはＮＡＳシグナリングプロシージャ）かは、３ＧＰＰ  ＴＳ２４．３０１アネックスＤにおいて指定されている。
【００１２】
将来、追加の確立原因値が望まれ得る。したがって、確立原因値および／または関係する情報を決定および／または通信するためのより効率的なやり方に対する需要があり得る。
【発明の概要】
【００１３】
発明概念のいくつかの実施形態によれば、ユーザ機器（ＵＥ）を動作させるための方法が提供され得る。アクセス試行のために適用されるべき、アクセスカテゴリーが複数のアクセスカテゴリーから決定され得、少なくとも１つのアクセス識別情報が複数のアクセス識別情報から決定され得る。複数のアクセスカテゴリーから決定されたアクセスカテゴリーに基づいておよび複数のアクセス識別情報からの少なくとも１つのアクセス識別情報に基づいて、アクセス試行のための確立原因が決定され得る。アクセス試行のための接続要求メッセージが無線通信ネットワークに送信され得、接続要求メッセージは、アクセスカテゴリーに基づいておよび少なくとも１つのアクセス識別情報に基づいて決定された確立原因を含む。
【００１４】
発明概念のいくつかの実施形態に従って確立原因を決定することは、接続要求メッセージ中に含まれる、確立原因についての情報のサイズを低減し得、および／またはオペレータ規定アクセスカテゴリーを容易にし得る。
【００１５】
本開示のさらなる理解を提供するために含まれ、本出願に組み込まれ、本出願の一部をなす、添付の図面は、発明概念のいくつかの非限定的な実施形態を示す。
【図面の簡単な説明】
【００１６】
【図１】無線ネットワークを示す概略図である。
【図２】３ＧＰＰ  ＬＴＥにおける、ランダムアクセスおよびＲＲＣ接続確立を示すメッセージ図である。
【図３】ＬＴＥにおけるＡＣＤＣ規制情報を示す表である。
【図４】通信システムにおけるプレーンを示す図である。
【図５】３ＧＰＰシステムにおける、ドメインおよび層を示す図である。
【図６】３ＧＰＰシステムのユーザプレーンおよび制御プレーンにおける、プロトコルレイヤを示す図である。
【図７Ａ】５Ｇユニファイドアクセス制御のためのアクセスカテゴリーを示す表である。
【図７Ｂ】５Ｇユニファイドアクセス制御のためのアクセスカテゴリーを示す表である。
【図８Ａ】５Ｇユニファイドアクセス制御のためのアクセス識別情報を示す表である。
【図８Ｂ】５Ｇユニファイドアクセス制御のためのアクセス識別情報を示す表である。
【図９】ユニファイドアクセス制御のためのプロシージャを示すメッセージ図である。
【図１０】ユニファイドアクセス制御のための、ＵＥにおけるＮＡＳ−ＡＳ対話を示すブロック図である。
【図１１】発明概念のいくつかの実施形態による、接続要求を実施する方法を示す流れ図である。
【図１２】発明概念のいくつかの実施形態による、確立原因を決定するために使用されるＡＳ−ＮＡＳ対話を示す図である。
【図１３】発明概念のいくつかの実施形態による、適切なアクセスカテゴリーを決定するために使用される動作を示すフローチャートである。
【図１４】発明概念のいくつかの実施形態による、適切なアクセスカテゴリーおよびアクセス識別情報を確立原因にマッピングするために使用される動作を示すフローチャートである。
【図１５】発明概念のいくつかの実施形態による、適切なアクセスカテゴリー値を確立原因にマッピングする例を示す表である。
【図１６】発明概念のいくつかの実施形態による、オペレータ−固有アクセスカテゴリールールに従ってアクセスカテゴリーを設定するために使用され得る、ＵＥにおいて提供される表である。
【図１７】発明概念のいくつかの実施形態による、オペレータ−固有アクセスカテゴリールールに従って確立原因を設定するために使用され得る、ＵＥにおいて提供される表である。
【図１８】発明概念のいくつかの実施形態による、オペレータ−固有アクセスカテゴリールールに従って確立原因を設定するために使用され得る、ＵＥにおいて提供される表である。
【図１９】（ＵＥとも呼ばれる）無線デバイスを含み、発明概念のいくつかの実施形態による、無線ネットワークを示すブロック図である。
【図２０】発明概念のいくつかの実施形態による、ＵＥのエレメントを示すブロック図である。
【図２１】発明概念のいくつかの実施形態による、仮想化環境を示すブロック図である。
【図２２】発明概念のいくつかの実施形態による、中間ネットワークを介してホストコンピュータに接続された通信ネットワークを示す概略図である。
【図２３】発明概念のいくつかの実施形態による、部分的無線接続上で基地局を介してユーザ機器と通信するホストコンピュータを示す概略図である。
【図２４】発明概念のいくつかの実施形態による、ホストコンピュータと、基地局と、ユーザ機器とを含む通信システムにおいて実装される方法を示すフローチャートである。
【図２５】発明概念のいくつかの実施形態による、ホストコンピュータと、基地局と、ユーザ機器とを含む通信システムにおいて実装される方法を示すフローチャートである。
【図２６】発明概念のいくつかの実施形態による、ホストコンピュータと、基地局と、ユーザ機器とを含む通信システムにおいて実装される方法を示すフローチャートである。
【図２７】発明概念のいくつかの実施形態による、ホストコンピュータと、基地局と、ユーザ機器とを含む通信システムにおいて実装される方法を示すフローチャートである。
【図２８】発明概念のいくつかの実施形態による、ＵＥの動作を示すフローチャートである。
【発明を実施するための形態】
【００１７】
いくつかの事態下では、ＵＥがＲＲＣ接続を要求するのを防ぐこと、すなわち、図２に示されている全プロシージャを防ぐことが望ましいことがある。たとえば、災害、ネットワーク保守、あるいは、極度の無線リソース輻輳または処理能力の極度の不足のような、極度の過負荷状況の場合、その要求を防ぐことが望ましいことがある。そのような事態では、ネットワークは、たとえばセルへのアクセス試行を防ぐことによって、過負荷を低減することを望み得る。また、これらの場合、ネットワークは、過負荷状況中に特定のユーザおよび／またはサービス間で優先度を付ける必要があり得る。
【００１８】
これらの事態に対処し、アクセス試行を防ぐために、ネットワークは、アクセス制御と呼ばれる、３ＧＰＰにあるものを採用し得る。アクセスクラス規制（ＡＣＢ：Ａｃｃｅｓｓ  Ｃｌａｓｓ  Ｂａｒｒｉｎｇ）は、１つのそのような制御の一例である。要するに、アクセス規制は、（たとえば、プリアンブル２０１を送ることによって上記のシーケンスを始動するために）ＵＥがアクセス要求を送ることを試行するのを防ぐこと、またはＵＥがアクセス要求を送ることを試行する可能性を低くすることに関するものである。このようにして、システム中の総負荷が制御され得る。ネットワークは、たとえば、ＵＥまたはなぜＵＥがアクセスを希望するかについての異なる理由を、異なるクラスまたはカテゴリーに分割し得、これに応じて、ネットワークは、たとえば、いくつかのＵＥおよび／またはいくつかのイベントがアクセス要求をトリガすることを区別し、それらのＵＥおよび／またはイベントがアクセス要求をトリガする可能性を低くすることができる。たとえば、所与のＵＥは、あるアクセスクラスに属し得、ネットワークは、ブロードキャストされたシステム情報を介して、いくつかのインスタンスにおけるいくつかのクラスが規制されている、すなわち、アクセスすることが許可されていない、または完全に規制されているとは限らないとしてもより低い確率でアクセスすることが許可されていることを通信し得る。ＵＥが、このブロードキャストされたシステム情報を受信するとき、ＵＥが、規制されたアクセスクラスに属する場合、それは、ＵＥがアクセス要求を送らないことを生じ得る。ＬＴＥのために指定されたアクセス規制機構の複数の変形態があり、そのうちの数個が以下に記載される。
１．  ３ＧＰＰ  Ｒｅｌ−８によるアクセスクラス規制：この機構では、ＵＥからのすべてのアクセス要求を規制することが可能である。アクセスクラス（ＡＣ）範囲０〜９中の通常ＵＥは、規制ファクタとも呼ばれる確率ファクタと、規制期間とも呼ばれるタイマーとで規制されるが、特定のクラスは別個に制御され得る。通常クラス０〜９のほかに、追加のクラスが、他のタイプのユーザ、たとえば、緊急サービス、公益企業、セキュリティサービスなどへのアクセスを制御するために指定されている。
２．  サービス固有アクセス制御（ＳＳＡＣ：Ｓｅｒｖｉｃｅ  Ｓｐｅｃｉｆｉｃ  Ａｃｃｅｓｓ  Ｃｏｎｔｒｏｌ）：ＳＳＡＣ機構は、ネットワークが、ＵＥからのマルチメディアテレフォニー（ＭＭＴｅｌ）ボイスおよびＭＭＴｅｌビデオアクセスを禁じることを可能にする。ネットワークは、規制パラメータ（ＡＣＢと同様のパラメータ）と、ＡＣＢと同様である規制アルゴリズム（規制ファクタおよびランダムタイマー）とをブロードキャストする。アクセスが許可されるかどうかの実際の判断が、ＵＥのＩＰマルチメディアサブシステム（ＩＭＳ）レイヤで行われる。
３．  回線交換フォールバック（ＣＳＦＢ：Ｃｉｒｃｕｉｔ−Ｓｗｉｔｃｈｅｄ  ＦａｌｌＢａｃｋ）のためのアクセス制御：ＣＳＦＢ機構は、ネットワークがＣＳＦＢユーザを禁じることを可能にする。この場合に使用される規制アルゴリズムはＡＣＢと同様である。
４．  拡張されたアクセス規制（ＥＡＢ：Ｅｘｔｅｎｄｅｄ  Ａｃｃｅｓｓ  Ｂａｒｒｉｎｇ）：ＥＡＢ機構は、ネットワークが低優先度ＵＥを禁じることを可能にする。規制は、各アクセスクラス（ＡＣ０〜９）が規制されるまたは許可されるのいずれかであり得るビットマップに基づく。
５．  アクセスクラス規制バイパス：ＡＣＢ機構は、ＩＭＳボイスおよびビデオユーザのためのアクセスクラス規制を省略することを可能にする。
６．  データ通信のためのアプリケーション固有輻輳制御（ＡＣＤＣ：Ａｐｐｌｉｃａｔｉｏｎ  ｓｐｅｃｉｆｉｃ  Ｃｏｎｇｅｓｔｉｏｎ  ｃｏｎｔｒｏｌ  ｆｏｒ  Ｄａｔａ  Ｃｏｍｍｕｎｉｃａｔｉｏｎ）規制：ＡＣＤＣは、あるアプリケーションとの間のトラフィックの規制を可能にする。このソリューションでは、アプリケーションは、（ＡｎｄｒｏｉｄまたはｉＯＳにおける）グローバルアプリケーション識別情報（ＩＤ）に基づいてカテゴリー分類される。ネットワークは、各カテゴリーのための規制パラメータ（規制ファクタおよびタイマー）をブロードキャストする。
【００１９】
アクセス制御のすべての変形態は、ランダムアクセスおよびＲＲＣ接続確立より前の、アイドルモードにあるＵＥのために動作する。ＳＳＡＣは、さらにまた、接続モードＵＥ、すなわち、ＬＴＥにおけるＲＲＣ＿ＣＯＮＮＥＣＴＥＤ状態にあるＵＥのために適用され得る。
【００２０】
ＬＴＥでは、ＵＥが、アクセスノードに向けてアクセスを実施する前に、ＵＥは、通常、アクセスノード１０４によってブロードキャストされる、あるシステム情報を読み取る必要がある。システム情報は、ＵＥ（１０２）とアクセスノード（１０４）との間の通信を始動するためにアクセスがどのように実施されるべきであるかについて説明する。このシステム情報の一部は、アクセス規制に関係する情報であり得る。この規制情報は、通常、アクセスネットワーク１００中でブロードキャストされ、異なるセルまたはエリア中に異なる規制情報があり得る。通常、１つのアクセスノード（１０４）は、それ自体の規制情報を送信する。規制情報は、たとえば、３ＧＰＰ  ＴＳ３６．３３１  ｖ．１４．１．０、２０１６−１２において指定されているように、規制情報が、アクセスカテゴリー［１．．．ｍ］のセットと、各カテゴリーについて規制ファクタと規制時間とを含んでいる情報エレメントとを含むようなやり方で構成され得る（ＬＴＥにおけるＡＣＤＣ規制情報の一例を示す以下の図３を参照）。
【００２１】
アクセスカテゴリーごとのこの規制情報は、アクセスを試行するＵＥによって使用されることになり、それは、アクセスノードが、いくつかのアクセスを限定し、いくつかのアクセスを他のものよりも優先させるためのやり方である。
【００２２】
３ＧＰＰシステムアーキテクチャが以下で説明される。図４は、通信システムにおけるプレーンを示す。３ＧＰＰシステムなどの通信システムは、図４に示されているように、通常、ユーザプレーン４０１と、制御プレーン４０２と、管理プレーン４０３とに、垂直方向に、機能的に分割される。この分割は、独立したスケーラビリティ、発展およびフレキシブル展開を可能にする。ユーザデータトラフィックを搬送するユーザプレーン４０１は、セグメンテーション、リアセンブリ、再送信、多重化、暗号化など、ユーザデータ転送に関係する機能およびプロトコルを含んでいる。シグナリングトラフィックを搬送する制御プレーン４０２では、ユーザプレーンをセットアップ、解放、制御および設定するために必要とされる、プロトコルおよび機能が見つかる。制御プレーン４０２はまた、たとえば、ＵＥモビリティ、ＵＥ認証、（サービスデータフローまたはＱｏＳフローとしても知られる）ユーザセッションおよびベアラの制御に関係する、機能およびプロトコルを含んでいる。アドミニストレーティブトラフィックを搬送する管理プレーン４０３では、たとえば、運用保守（Ｏ＆Ｍ）およびプロビジョニング機能が見つかる。通常、制御プレーン４０２と管理プレーン４０３との間に明確な分割が存在しないが、一般に、制御プレーン４０２は、管理プレーン４０３が動作する時間スケール（たとえば数時間）よりも速い時間スケール（たとえば数秒）で動作する。次いで、ユーザプレーン４０１は、一般に、最速時間スケール（たとえばミリ秒）で動作する。
【００２３】
図５は、３ＧＰＰシステムの、ドメインおよび層への別の分割を示す。いくつかのドメインがあり、最も重要であるのは、ユーザ機器（ＵＥ）１０２、アクセスネットワーク（ＡＮ）５０２およびコアネットワーク（ＣＮ）５０３である。一般に、ＵＥ１０２、ＡＮ５０２、およびＣＮ５０３はすべて、ユーザプレーン４０１、制御プレーン４０２および管理プレーン４０３機能を含んでいることを理解される必要がある。
【００２４】
ユーザ機器（ＵＥ）１０２は、ネットワークサービスへのユーザアクセスを可能にするデバイスである。そのデバイスは、一般に、ユーザサービス識別モジュール（ＵＳＩＭ）を装備した、スマートフォンなどの無線端末である。ＵＳＩＭは、そのＵＳＩＭ自体を明確およびセキュアに識別するための証明を含んでいる。ＵＳＩＭの機能は、スタンドアロンスマートカード中に埋め込まれ得るが、たとえば、ソフトウェアモジュール中のソフトウェアとしても実現され得る。
【００２５】
（無線アクセスネットワーク（ＲＡＮ）としても知られる）アクセスネットワーク（ＡＮ）５０２は、ｅＮＢ、ｇＮＢとしても知られる、アクセスノード、または基地局を含んでおり、これらは、アクセスネットワークの無線リソースを管理し、ＵＥ１０２に、コアネットワーク５０３にアクセスするための機構を提供する。アクセスネットワーク５０２は、ＵＥ１０２とアクセスネットワーク５０２との間の無線インターフェースにおいて使用される無線アクセス技術に依存する。したがって、ＬＴＥまたはＥ−ＵＴＲＡ無線アクセス技術をサポートするＥ−ＵＴＲＡＮ、および新しい無線（または５Ｇ）タイプの無線アクセス技術をサポートするＮＧ−ＲＡＮなど、異なる無線アクセス技術のための異なるフレーバー（ｆｌａｖｏｕｒ）のアクセスネットワーク５０２を有する。
【００２６】
コアネットワーク（ＣＮ）５０３は、ユーザロケーション情報の管理、ネットワーク特徴およびサービスの制御、シグナリングおよびユーザデータの切替えおよび送信など、ネットワーク特徴および通信サービスのサポートを提供するネットワークノードからなる。コアネットワーク５０３はまた、外部ネットワーク５０７に向かうインターフェースを提供する。異なる３ＧＰＰシステム世代について、異なるタイプのコアネットワーク５０３がある。たとえば、エボルブドパケットシステム（ＥＰＳ）としても知られる４Ｇでは、エボルブドパケットコア（ＥＰＣ）が見つかる。５Ｇシステム（５ＧＳ）の一部として開発された、５Ｇコア（５ＧＣ）が見つかる。
【００２７】
その上、コアネットワーク５０３はアクセスアグノスティック（ａｃｃｅｓｓ−ａｇｎｏｓｔｉｃ）であり、アクセスネットワーク５０２とコアネットワーク５０３との間のインターフェースは、異なる３ＧＰＰおよび非３ＧＰＰアクセスタイプの統合を可能にする。たとえば、ＬＴＥまたはＥ−ＵＴＲＡ無線アクセス技術をサポートする（Ｅ−ＵＴＲＡＮとしても知られる）アクセスネットワーク５０２、ならびに新しい無線タイプの無線アクセス技術をサポートする（ＮＧ−ＲＡＮとしても知られる）アクセスネットワークは、両方とも、（５ＧＣとしても知られる）５Ｇタイプのコアネットワーク５０３に接続され得る。
【００２８】
外部ネットワーク５０７は、ここでは、パブリックインターネットなど、３ＧＰＰドメインの外部のネットワークを表す。
【００２９】
図５に見られるように、３ＧＰＰシステムはまた、プロトコルレイヤリング階層（ｐｒｏｔｏｃｏｌ  ｌａｙｅｒｉｎｇ  ｈｉｅｒａｒｃｈｙ）を反映して、水平方向にアクセス層（ＡＳ）５０４と非アクセス層（ＮＡＳ）５０５とに分割される。ＡＳ５０４では、無線接続上のデータのトランスポート、および無線リソースを管理することなど、システムの無線部分に関係する機能が見つかる。ＡＳ５０４は、一般に、アクセスネットワーク５０２中の機能、およびＵＥ１０２とアクセスネットワーク５０２との間の（対応するプロトコルを使用する）ダイアログを含んでいる。プロトコルレイヤリング階層においてＡＳ５０４よりも上位のものと見られ得るＮＡＳ５０５では、無線アクセス技術に直接依存せず、一般に、コアネットワーク中の機能である、機能、およびＵＥ１０２とコアネットワーク５０３との間の（対応するプロトコルを使用する）ダイアログが見つかる。
【００３０】
図５では、ＮＡＳ５０５の上にアプリケーション５０６も示されている。アプリケーション５０６は、ＵＥ１０２、コアネットワーク５０３および外部ネットワーク５０７中の、一部を含んでいることがある。
【００３１】
図６は、３ＧＰＰシステムのユーザプレーンおよび制御プレーンにおける、プロトコルレイヤを示す。アクセス層５０４および非アクセス層５０５の制御プレーン４０２およびユーザプレーン４０１は、プロトコルレイヤにさらに分割される。図６に示されているように、アクセス層（ＡＳ）５０４では、制御プレーン４０２中に１つのプロトコルレイヤ、すなわち無線リソース制御（ＲＲＣ）レイヤ６０１がある。ＲＲＣレイヤ６０１はアクセス層５０４の一部であるので、ＲＲＣレイヤ６０１は、ＵＥ１０２とアクセスネットワーク５０２との間で使用される無線アクセス技術のタイプに依存する。したがって、異なる無線アクセス技術について異なるフレーバーのＲＲＣ６０１があり、たとえば、ＵＴＲＡ、Ｅ−ＵＴＲＡおよび新しい無線タイプの無線アクセス技術の各々について１つのタイプのＲＲＣレイヤ６０１がある。
【００３２】
さらに、アクセス層５０４では、ユーザプレーン４０１中にも、物理（ＰＨＹ）レイヤ６１１、媒体アクセス制御（ＭＡＣ）レイヤ６１２、無線リンク制御（ＲＬＣ）レイヤ６１３およびパケットデータコンバージェンス制御（ＰＤＣＰ）レイヤ６１４など、いくつかのプロトコルレイヤがある。新しい無線では、ＡＳ５０４中に、ＰＤＣＰ６１４の上の新しいレイヤも予想され、ここでは「ＮＬ」（新しいレイヤ）６１５と表示される。アクセス層５０４のユーザプレーン４０１と制御プレーン４０２の両方中のすべてのプロトコルレイヤは、ｅＮＢまたはｇＮＢなど、ネットワーク側のアクセスネットワーク５０２において終端される。
【００３３】
非アクセス層（ＮＡＳ）５０５では、制御プレーン４０２中に複数のプロトコルレイヤがある。ＥＰＳ（エボルブドパケットシステム、４ＧまたはＬＴＥとしても知られる）では、これらのレイヤは、ＥＭＭ（ＥＰＳモビリティ管理）６０３およびＥＳＭ（ＥＰＳセッション管理）６０４として知られる。５Ｇシステムでは、接続管理（ＣＭ）６０５など、ＥＭＭ６０３およびＥＳＭ６０４の等価機能を実施するプロトコルレイヤが見つかることになる。
【００３４】
さらに、非アクセス層（ＮＡＳ）５０５では、ユーザプレーン４０１中に、インターネットプロトコル（ＩＰ）６１６など、複数のプロトコルレイヤがある。
【００３５】
アプリケーション５０６は、ＮＡＳ５０５の上に常駐し、ユーザプレーン４０１と対話し、いくつかの場合には、制御プレーン４０２とも対話する。
【００３６】
３ＧＰＰにおけるユニファイドアクセス制御が以下で説明される。
【００３７】
特に３ＧＰＰによる第５世代のセルラー規格のための、アクセス制御機構の進行中の発展は、既存のアクセス制御機構を集めて、様々なネットワークオペレータ選好に対して設定可能および適応可能であり得る１つの単一の機構にすることである。したがって、５Ｇは、ユニファイドアクセス制御として知られるものである単一のアクセス制御フレームワークを含むことになることが同意された。
【００３８】
ユニファイドアクセス制御は、ＮＲ（新しい無線）またはＥ−ＵＴＲＡ／ＬＴＥを介して５ＧコアにアクセスするＵＥに適用されることになる。その上、ユニファイドアクセス制御はすべてのＵＥ状態において適用されるが、ＬＴＥでは、１つの例外（ＳＳＡＣ）を除いて、アクセス制御機構は、アイドルモードＵＥのためにのみ適用される。
【００３９】
５Ｇのためのユニファイドアクセス制御は、現在、３ＧＰＰ  ＴＳ２２．２６１（５Ｇサービス要件）、３ＧＰＰ  ＴＲ２４．８９０（５ＧシステムコアネットワークＣＴ１態様）、３ＧＰＰ  ＴＳ３８．３００（ＲＡＮステージ２）および３ＧＰＰ  ＴＳ３８．３３１（ＲＲＣプロトコル仕様）において指定されている。
【００４０】
３ＧＰＰにおいて議論されているソリューションによれば、アクセスノード（たとえばｇＮＢまたはｅＮＢ）は、アクセス層（ＡＳ）内のＲＲＣレイヤ中でブロードキャストされたシステム情報によって、アクセス規制パラメータを使用する各セルについて規制条件をＵＥに指示する。
【００４１】
さらに、ＵＥでは、「アクセス試行」として知られるものを検出するプロセスがある。アクセス試行の一例は、新しいＰＤＵセッションなどの新しいセッションまたはＭＭＴＥＬボイス呼をセットアップするようにとの要求である。各検出されたアクセス試行はアクセスカテゴリー上にマッピングされる。
【００４２】
ＴＳ２２．２６１におけるアクセスカテゴリーが、５Ｇユニファイドアクセス制御のためのアクセスカテゴリーを示す図７において指定されている。
【００４３】
３ＧＰＰ  ＴＳ２２．２６１は、「アクセス識別情報」として規定されるものをも指定する。ＵＥは、ＵＥに「通常ＵＥ」であるかどうかを反映するために１つまたは複数のアクセス識別情報が設定されるか、または特殊な、一般に高優先度のサービスによる使用のために設定される。ＵＥの一例は、オペレータ使用のためのものまたはミッションクリティカルなサービスのためのものである。図８の表では、ＴＳ２２．２６１において指定された、５Ｇユニファイドアクセス制御のためのアクセス識別情報が示されている。
【００４４】
ＴＳ２２．２６１中のステージ１要件は、「アクセス試行」が何であるかを詳細に規定しない。各アクセスカテゴリーについてのアクセス試行の規定は、現在、３ＧＰＰワーキンググループ（主にＣＴ１およびＲＡＮ２）によって行われている。アクセス試行は、５ＧＳＭ、５ＧＭＭ、ＳＭＳｏＩＰ、ＭＭＴＥＬおよびＲＲＣを含む、ＵＥ中のいくつかのレイヤ中で検出および識別され得ることを理解されたい。ただし、「二重規制」は回避されるべきであり、したがって、所与のアクセス試行は、プロトコルスタック中の１つの場所のみにおいて、および１回のみ検出されるべきである。
【００４５】
一般に、アクセス試行を検出したレイヤは、アクセスカテゴリーへのマッピングを実施し、アクセス規制チェックをトリガし、許可されない場合、ブロッキングの執行を実施する。
【００４６】
ユニファイドアクセス制御のためのプロシージャ全体が、図９に関して以下で説明される。
【００４７】
ＵＥ（１０２）によってアクセスが試行される前に、たとえば、シグナリングメッセージを送るためのＵＥ中の上位レイヤからのトリガなど、イベントを、［１．．．ｍ］アクセスカテゴリーのうちの１つのアクセスカテゴリーに関連付ける必要がある。
【００４８】
これを行うために、ＵＥは、ネットワークから、命令またはルールを提供され得る。図９は、１つの例示的なプロシージャのためのシグナリング図を示す。
【００４９】
第１のステップ９０１において、ネットワークノードは、随意に、オペレータ固有アクセスカテゴリーのためのルールを提供する。図９では、この情報は、ネットワークノード（１０６）から発信するものとして示されているが、極めてうまく、他のネットワークノードからも発信し、ネットワークノード（１０６）を介して、または場合によっては別のノードを介してＵＥに送信され得る（たとえば、オペレータのポリシー機能性が、ＷＬＡＮアクセスネットワークを介してＵＥ（１０２）を設定する）。ネットワークが、より高いレベルのコントローラまたはポリシー機能性を含む場合、その情報は、そのようなコントローラまたはポリシー機能性をホストする別のノードから発信し得る。上位レイヤルールは、ＡＭＦ（アクセスおよびモビリティ管理機能）など、コアネットワークノードからの非アクセス層（ＮＡＳ）シグナリングを介してＵＥにシグナリングされ得るか、または、上位レイヤルールは、他のプロトコルを使用してシグナリングされ得、たとえば、ＵＥ（１０２）は、設定され得るエンティティと、オープンモバイルアライアンスデバイス管理（ＯＭＡ−ＤＭ）プロトコルを使用してシグナリングされるホストアクセスカテゴリールールとを含み得る。
【００５０】
ネットワークノード（１０６）からのルール中には、たとえば、アクセス試行が、特定の値、すなわち、特定の５ＱＩ（５Ｇ  ＱｏＳ識別子）値にセットされた要求されたＤＮＮ（データネットワーク名）をもつ、またはＩＰパケットヘッダ内の特定の値（たとえば、宛先ＩＰアドレスまたは宛先ポート番号）をもつ、ＰＤＵセッションのうちの１つまたは複数に関係する場合、ＵＥがどのようにアクセスカテゴリーを選択するべきであるかに関係する情報が、含まれ得る。ルールは、様々なスライスへのアクセスに関係する情報をも含むことができる。たとえば、小型デバイスＵＥ（１０２）が、たとえば、ＩｏＴ最適化されたスライスにアクセスすることを希望し得る。
【００５１】
検出されたアクセス試行９０２として規定されるものをトリガするＵＥにおけるイベント、新しいＰＤＵセッションを確立する必要、あるいはＭＭＴｅｌボイスまたはビデオ呼をセットアップする必要など、ＵＥ１０２がネットワークへのアクセスを要求する必要が発生したとき、ＵＥ１０２は、最初に、ステップ９０３において、規格化されたルールとともに、ステップ９０１において取得されたものを含む利用可能なルールに基づいて、アクセスカテゴリーを決定する。この特定のアクセスのためのアクセスカテゴリーを決定した後に、ＵＥ１０２は、次いで、ステップ９０５において、一般に、ブロードキャストされたシステム情報の一部である、アクセス規制指示を読み取る。一般に、ＵＥ１０２は、ブロードキャストされたシステム情報の最新バージョンを維持することを必要とされ、これは、ＵＥ１０２が多くの場合、実際にシステム情報を再び読み取る必要がなく、代わりに、キャッシュされたシステム情報を使用することができることを暗示する。ＵＥ１０２は、次いで、ステップ９０６において、決定されたアクセスカテゴリーおよびアクセス規制指示を入力として使用して、アクセス規制チェックを実施する。ステップ９０７において、ＵＥは、任意の規制の執行を実施し、すなわち、規制チェックにより、アクセスが許可されなかった／「規制された」場合、ＵＥは、アクセスを実施せず、代わりに、アクセス規制指示中で指示された期間などの期間の間待つ。しかし、規制チェックにより、アクセスが許可された／「規制されなかった」場合、ＵＥ１０２は、ステップ９０８において、（ＰＤＵセッションあるいはＭＭＴｅｌボイスまたはビデオ呼を確立することなど）アクセス試行を進めることができる。ＵＥが、アイドルモードまたはＲＲＣ＿ＩＮＡＣＴＩＶＥ状態にあった場合、ＵＥはまた、ステップ９０８の一部として、ランダムアクセスを含むＲＲＣ接続を確立する（またはＲＲＣ＿ＩＮＡＣＴＩＶＥの場合、再開する）必要がある。
【００５２】
アクセス規制のためのユニファイドアクセス制御機構の開発が、現在進行中である。
【００５３】
図１０は、アクセス試行が、ユニファイドアクセス制御の一部として検出されたときに規制チェックを実施するときの、ＮＡＳ５０５とＡＳ５０４との間の対話のためのＵＥ１０２におけるモデルを示す。規制チェックは、新しいアクセス試行が検出されたいかなるときにも、ならびにＲＲＣ＿ＩＤＬＥ、ＲＲＣ＿ＩＮＡＣＴＩＶＥおよびＲＲＣ＿ＣＯＮＮＥＣＴＥＤを含む、すべてのＵＥ状態において実施され得ることに留意されたい。また、ＮＡＳがシグナリング接続を要求するときに、すべての規制チェックがすでに実施およびパスされているべきであることを理解されたい。
【００５４】
現在、いくつかの課題が存在する。３ＧＰＰにおけるユニファイドアクセス制御の最近の発展では、ＲＲＣ確立原因の代替として、ＲＲＣ接続についての要求をトリガしたアクセス試行のためにアクセスカテゴリーを使用することが議論されている。
【００５５】
ＲＲＣ接続要求メッセージ中で直接アクセスカテゴリーを使用するときの主要な課題は、すべてのシナリオにおけるカバレッジ要件を満たすために、ＲＲＣ接続要求メッセージ（ｍｓｇ３）のサイズが極めて限定されることである。これは一般に、ＵＥ識別情報など、より重要である他の情報エレメントを考慮するとき、フルサイズのアクセスカテゴリー（６ビット）がメッセージに収まらないことがあることを意味する。ＬＴＥでは、ＲＲＣ確立原因のサイズは３ビットである。
【００５６】
代替手法として、ＲＲＣ確立原因を決定するためにアクセスカテゴリーを入力として使用することが示唆されており、すなわち、アクセスカテゴリーからＲＲＣ確立原因上へのマッピングが規格において指定されている。
【００５７】
この代替手法では、上記のサイズ限定はやや緩和され得る。しかしながら、アクセス試行のためにＵＥによって選択されたアクセスカテゴリーは、オペレータ固有としても知られるオペレータ規定（ｏｐｅｒａｔｏｒ−ｄｅｆｉｎｅｄ）アクセスカテゴリーのうちの１つであり得る。所与のオペレータ規定アクセスカテゴリー値の意味は、規格化されておらず、コアネットワークオペレータ固有であり、共有ネットワークの場合、複数のコアネットワークが、同じＲＡＮおよびアクセスノードを共有する。したがって、これらの値は、一般に、ＲＡＮによって解釈され得ない。
【００５８】
対処されるべきまた別の態様は、ＲＲＣ確立原因を決定するときに、ＵＥ中で設定されたアクセス識別情報がどのように使用されるべきであるかである。ＬＴＥでは、アクセスクラス（ＡＣ）１１〜１５のいずれかが設定されたＵＥは、たいていの場合、ＲＲＣ確立原因のｈｉｇｈＰｒｉｏｒｉｔｙＡｃｃｅｓｓ値を使用する。
【００５９】
最近、規格化会議および議論では、ネットワークオペレータが、確立原因のセッティングを設定するための、さらには、ＵＥがどのようにＵＥの確立原因値をセットするかを調整するためにネットワーク固有原因値を有するための、ある程度のフレキシビリティを導入する潜在的必要も提起されている。５Ｇ／ＮＲのためにどのように原因値を設定すべきかについて、まだソリューションがない。
【００６０】
したがって、ＲＲＣ確立原因を決定するための方法および装置の必要があり、これは、
−  アクセスカテゴリーおよびアクセス識別情報を入力として使用し、
−  ｍｓｇ３のサイズ限定を満たすことができ、
−  オペレータ規定アクセスカテゴリーをハンドリングすることができ、
−  ネットワークが確立原因値を設定する可能性を提供する。
【００６１】
本開示のいくつかの態様およびそれらの実施形態は、これらまたは他の課題のソリューションを提供し得る。本明細書の実施形態は、セルラーネットワークなどの無線通信システムに関する。無線アクセスに関係するメッセージを送信および受信するための方法、ユーザ機器、およびネットワークノードが、本明細書で開示される。
【００６２】
いくつかの実施形態によれば、ＵＥがＲＲＣ接続を要求しようとしているとき、ＵＥは、進行中のアクセス試行を評価し、最も適切なアクセス試行を決定する（これは、代替のやり方、たとえば、要求をトリガしたアクセス試行、最も優先されるアクセス試行、または何らかの他の基準で実施され得る）。この選択された最も適切なアクセス試行を用いて、ＵＥは、次いで、関連する最も適切なアクセスカテゴリー値を決定する。
【００６３】
多くの場合、最も適切なアクセスカテゴリーの決定は、ユニファイドアクセス制御（すなわち、規制チェック）のためのアクセスカテゴリーの決定と同じやり方で実施される。ユニファイドアクセス制御のための決定されたアクセスカテゴリーが、規格化されたアクセスカテゴリーである場合、最も適切なアクセスカテゴリーは、ユニファイドアクセス制御のための決定されたアクセスカテゴリーと同じである。ユニファイドアクセス制御のための決定されたアクセスカテゴリーがオペレータ固有アクセスカテゴリーである場合、ＵＥは、限定はしないが以下を含む、いくつかの手法のうちの１つを使用して、最も適切なアクセスカテゴリーを決定する。
１．  ＵＥは、ユニファイドアクセス制御のためのアクセスカテゴリーの選択のためのルールに従って最も適切なアクセスカテゴリーを選択するが、オペレータ固有アクセスカテゴリー分類ポリシーを考慮しない（すなわち、規格化されたアクセスカテゴリーのみが選択され得る）。
２．  オペレータ規定アクセスカテゴリーのための設定の一部として、ＵＥが最も適切なアクセス試行のためのアクセス規制チェックを実施することを選択した、規格化されたアクセスカテゴリーが記憶される。ＵＥは、次いで、この記憶された規格化されたアクセスカテゴリー値を最も適切なアクセスカテゴリーとして使用する。
【００６４】
いくつかの実施形態によれば、ＵＥが、最も適切なアクセスカテゴリーを決定したとき、ＵＥは、ＲＲＣ確立原因を選択するために、ＵＥ中で設定されたアクセス識別情報とともに最も適切なアクセスカテゴリーを使用する。この選択を実施するための方法は、一般に、たとえばマッピング表として、仕様において規格化される。
【００６５】
ＵＥは、次いで、ＲＲＣ接続を要求するときに、この選択されたＲＲＣ確立原因値をＲＲＣ接続確立メッセージに入れ得る。
【００６６】
図１１は、本明細書で開示される特定の実施形態による、ＵＥによって実施される方法を示す流れ図である。
【００６７】
本明細書で開示される問題点のうちの１つまたは複数に対処する様々な実施形態が、本明細書で提案される。具体的には、より詳細に説明されるように、ＵＥ、ネットワークノード、ならびに、前記ＵＥおよび前記ネットワークノードによって実施される方法が開示される。いくつかの実施形態は、以下の技術的利点のうちの１つまたは複数を提供し得る。たとえば、いくつかの実施形態は、ＲＲＣ確立原因を決定するためのソリューションを提供し、それらのソリューションは、アクセスカテゴリーおよびアクセス識別情報を入力として使用し、ｍｓｇ３のサイズ限定を満たし、オペレータ規定アクセスカテゴリーをハンドリングすることができ、ネットワークが、ＵＥによる確立原因値セッティングを設定する可能性を提供する。
【００６８】
いくつかの実施形態によれば、アクセスカテゴリー（特にオペレータ固有カテゴリー）を確立原因値のより小さいセットにマッピングすることによって、規定される必要がある確立原因の数は、確立原因値範囲中で、アクセスカテゴリー値ごとに１つのコードポイントを必要としないので、低減され得る。このようにして、ＲＲＣ接続要求メッセージは、より短くなり、範囲および／または信頼性に関する要件を満たす可能性が高くなる。さらに、個々のオペレータ固有アクセスカテゴリーごとにどの確立原因を使用すべきかを規定することによって、対応する接続要求が、より良い（すなわち、よりフェアな）やり方で優先度を付けられ得、また、ＤＮＮ、５ＱＩおよびスライスなど、オペレータ固有アクセスカテゴリーを決定するための基準を反映することができる。いくつかの実施形態によれば、ソリューションは、オペレータ固有確立原因値を規定するためのフレキシビリティをも提供し、これは、さらに、接続要求を区別する。たとえば、スライス間の優先度を確立原因中に反映させることが可能であり得る。また、それにより、ネットワークによるサポートされるサービスおよび／またはサービスの優先度付けにおける変更を反映するために、ネットワークが、新しい原因を追加すること、または既存の原因値の意味を変更することが可能になる。他の利点が、当業者に容易に明らかになり得る。いくつかの実施形態は、具陳された利点のいずれをも有しないか、いくつかを有するか、またはすべてを有し得る。
【００６９】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００７０】
確立原因を決定するために使用されるプロシージャが、以下で説明される。
【００７１】
図１２は、ＵＥ１０２がＮＡＳシグナリング接続を確立しようとしているときに確立原因を決定するための、ＵＥにおける非アクセス層５０５とアクセス層５０４との間の対話のいくつかの実施形態を示す。
【００７２】
ステップ１２０１において、ＮＡＳ５０５は、ＮＡＳシグナリングプロトコルにおいて、たとえば５ＧＭＭプロトコルレイヤにおいて指定されたトリガに従って、ＮＡＳシグナリング接続が必要とされることを検出する。ＮＡＳシグナリング接続の必要のためのトリガは、たとえば、登録プロシージャが開始しようとしていること、またはボイス呼を確立するためのＭＭＴｅｌレイヤなど、上位レイヤからの要求であり得る。このトリガは、ＮＡＳ５０５によってアクセス試行として識別され、ユニファイドアクセス制御のためのルールに従って、アクセスカテゴリーが選択される。いくつかの場合には、同時にトリガされるいくつかのアクセス試行があり得、または、第２のアクセス試行が検出されるとき、第１のアクセス試行がすでに進行中である。それらの場合の複数のアクセス試行に応えるために、ＮＡＳ５０５は、ルールに従って、これらの複数のアクセス試行のうちの１つを最も適切なアクセス試行として決定する。一例では、ＮＡＳ５０５は、複数のアクセス試行をそれらの優先度に従ってランク付けし、たとえば、１つの優先度方式では、緊急呼が進行中であるかまたは開始しようとしている場合、緊急呼は常に、すべての他のアクセス試行よりも高い優先度を有し、最も適切なアクセス試行として決定されることになる。これは一例にすぎず、他の優先度方式も採用され得る。別の例では、ＮＡＳ５０５は、最も適切なアクセス試行を直近のアクセス試行として選択し、これは一般に、ＮＡＳシグナリング接続の必要をトリガしたアクセス試行である。また別の例では、ＮＡＳ５０５は、最も適切なアクセス試行を、すべての進行中のおよび開始するアクセス試行のうちのランダム選択として決定する。これらは数個の例にすぎず、どのアクセス試行が最も適切であると考えられるかを決定するための他の実施形態が採用され得る。
【００７３】
ステップ１２０２において、ＮＡＳ５０５は、ステップ１２０１において決定された最も適切なアクセス試行のための最も適切なアクセスカテゴリーを導出する。このプロセスは図１３でより詳細に説明される。
【００７４】
ステップ１２０３において、ＮＡＳ５０５は、ＮＡＳシグナリング接続についてＡＳ５０４に要求し、情報の中でもとりわけ、ステップ１２０２において導出された最も適切なアクセスカテゴリーをＡＳ５０４に受け渡す。ＡＳ５０４、一般にＲＲＣレイヤ６０１は、一般に、ＮＡＳ５０５がＮＡＳシグナリング接続を要求したとき、ＲＲＣ＿ＩＤＬＥ状態にある。
【００７５】
ステップ１２０４において、ＡＳ５０４は、次いで、最も適切なアクセスカテゴリーを確立原因値にマッピングする。
【００７６】
ステップ１２０５において、ＡＳ５０４は、ＲＲＣ接続確立プロシージャを実施し、接続を要求するメッセージ、一般にＲＲＣ接続要求メッセージ中に、ステップ１２０３において取得された確立原因を含める。
【００７７】
ＲＲＣ接続が正常に確立されたとき、ＡＳ５０４は、ステップ１２０６において、ＮＡＳ５０５へのＮＡＳシグナリング接続の確立を確認する。
【００７８】
図１３は、ステップ１２０２において実施される最も適切なアクセスカテゴリーの決定のための方法を示す。
【００７９】
ステップ１３０１において、ＵＥ１０２、一般にＮＡＳ５０５は、ステップ１２０１において決定された最も適切なアクセス試行のためのアクセスカテゴリーを決定するために、ユニファイドアクセス制御のためのルールを使用する。ユニファイドアクセス制御は、すべてのアクセス試行に対して実施されるので、このステップは、最も適切なアクセス試行として決定されたアクセス試行のための規制チェックの前に、すでに実施されていることがある。
【００８０】
ステップ１３０２において、ＵＥは、ステップ１３０１において取得されたアクセスカテゴリーのタイプ（規格化されたアクセスカテゴリーまたはオペレータ固有アクセスカテゴリー）をチェックする。
【００８１】
アクセスカテゴリーが、規格化されたアクセスカテゴリーである場合、ＵＥは、ステップ１３０３において、ユニファイドアクセス制御のためのルールに従って、最も適切なアクセスカテゴリーをそのアクセスカテゴリー、すなわち、この規格化されたアクセスカテゴリーとしてセットする。
【００８２】
アクセスカテゴリーがオペレータ固有アクセスカテゴリーである場合、ＵＥは、ステップ１３０４において、最も適切なアクセスカテゴリーを決定するために、いくつかの複数の代替方法のうちの１つを使用する。
【００８３】
１つの方法では、ＵＥは、ユニファイドアクセス制御のためのアクセスカテゴリーの選択のためのルールに従って最も適切なアクセスカテゴリーを選択するが、オペレータ固有アクセスカテゴリー分類ポリシーを考慮しない（すなわち規格化されたアクセスカテゴリーのみが選択され得る）。
【００８４】
別の方法では、ＵＥは、オペレータ固有アクセスカテゴリーが設定されたとき、一般に、ＡＭＦ（アクセスおよびモビリティ管理機能）など、コアネットワークからのＮＡＳシグナリングを使用してネットワークから受信されていることがある、表を使用する。ＵＥは、ステップ１３０１において取得されたアクセスカテゴリーについて表エントリをルックアップし、この表エントリに記憶された規格化されたアクセスカテゴリーを読み取る。ＵＥは、次いで、この記憶された規格化されたアクセスカテゴリー値を最も適切なアクセスカテゴリーとして使用する。この表は、（図１６に示されているような）オペレータ固有アクセスカテゴリーの決定のためのルールを表すために使用されるのと同じ表であるか、または別個の表であり得る。
【００８５】
図１４は、最も適切なアクセスカテゴリーの、確立原因へのマッピングのための例示的なプロシージャを示す。
【００８６】
ステップ１４０１において、ＵＥ（たとえばＡＳ５０４）は、最初に、ＵＥ中で設定されたアクセス識別情報を取得する。アクセス識別情報は、ＵＳＩＭまたはＵＩＣＣから読み取られ、あるいは、たとえば仕様において述べられているいくつかのルールを使用して取得され得る。たとえば、３ＧＰＰ  ＴＳ２２．２６１は、ＵＩＣＣが、特殊アクセスクラス（ＡＣ）１１を割り振られたとき、ＵＥに、アクセス識別情報１１が設定されることを述べている。このステップの結果として、出力は、１つまたは複数のアクセス識別情報である。
【００８７】
ステップ１４０２において、ＵＥは、値０をもつアクセス識別情報が利用可能であるかどうかをチェックする。一般に、値０をもつアクセス識別情報は、ＵＥが、いかなる他のアクセス識別情報をも有しないとき、使用される。この場合、そのＵＥは、いかなる高優先度サービスをも伴わないまたはいかなる高優先度加入者をも伴わないＵＥなど、「通常ＵＥ」である。
【００８８】
アクセス識別情報が０である場合、ＵＥは、ステップ１４０３において、ただ、最も適切なアクセスカテゴリーの値を使用することによって、確立原因を決定することを進め、ＲＲＣ接続要求メッセージ中のこの確立原因を使用する。
【００８９】
０以外の値をもつ１つまたは複数のアクセス識別情報がある場合、ＵＥは、ステップ１４０４において、少なくともアクセス識別情報を使用して、確立原因を決定することを進める。一例では、ＵＥは、この場合、常に「高優先度アクセス」であるように確立原因をセットし、ＲＲＣ接続要求メッセージ中でこの確立原因を使用する。別の例では、０以外のアクセス識別情報は、アクセス識別情報１〜７が、確立原因高優先度アクセス１上にマッピングされ、アクセス識別情報８〜１５が、高優先度アクセス２上にマッピングされるように、２つの異なる確立原因にマッピングされる。確立原因高優先度アクセス、すなわち、高優先度アクセス１または高優先度アクセス２がＲＲＣ接続要求メッセージ中に含まれるとき、そのＲＲＣ接続要求メッセージは、ネットワークに、この要求が、一般に拒否されるべきではなく、他の確立原因をもつアクセスよりも優先されるべきであることを指示する。
【００９０】
また別の例では、ＵＥは、最も適切なアクセスカテゴリーの値を使用することによって確立原因をセットするが、ＲＲＣ接続要求メッセージ中に、たとえば高優先度アクセスを指示するための追加の情報エレメントをも含める。また別の例では、ＵＥは、ＲＲＣ接続要求メッセージ中の確立原因とともに、（たとえばビット列として表される）すべてのアクセス識別情報を使用する。または、また別の例では、アクセス識別情報１〜７が高優先度１上にマッピングされ、アクセス識別情報８〜１５が高優先度２上にマッピングされるなど、異なる値のアクセス識別情報が、異なる確立原因値上にマッピングされる。高優先度および／またはアクセス識別情報を指示するための、追加の情報エレメントを伴う例は、ＲＲＣ接続要求メッセージ中に利用可能なスペースがあるときに使用され得ることに留意されたい。
【００９１】
また別の例では、アクセス識別情報のみを使用する代わりに、０以外の数にセットされたときに、確立原因を決定するために、最も適切なアクセスカテゴリーとアクセス識別情報との組合せが使用される。たとえば、適切なアクセスカテゴリーが「緊急」（たとえば値２）を指示し、値１のアクセス識別情報がＵＥ中で設定された場合、確立原因値「高優先度緊急」が使用される。
【００９２】
図１５は、最も適切なアクセスカテゴリーを、ＲＲＣ確立原因としても知られる確立原因にどのようにマッピングすべきかについての一例を示す。５Ｇのためのユニファイドアクセス制御が、５ＧコアネットワークへのＮＲアクセスとＬＴＥアクセスの両方について適用されることになることを理解されたい。ＮＲとＬＴＥとは、２つの異なる無線アクセス技術であり、同じく異なるＲＲＣプロトコルをもち、別個に指定される。したがって、ＲＲＣ確立プロシージャは、まったく同じであるとは限らず、たとえば、ＲＲＣ接続要求メッセージは必ずしも、同じフォーマットのものであるとは限らない。より詳細には、ＮＲフレーバーのＲＲＣのための確立原因とＬＴＥフレーバーのＲＲＣのための確立原因とは、別個に進化することになる。それらの２つのタイプの確立原因のための値のセットは、たいがい異なることになるので、ＮＲのための最も適切なアクセスカテゴリーからのマッピングは、ＬＴＥの場合とは異なる。
【００９３】
ここでのマッピングは一例にすぎず、そのマッピングは、他の確立原因値が、ＮＲおよびＬＴＥのために規定されることを排除しないことを理解されたい。同じタイプのマッピングが、ＬＴＥのＮＢ−ＩｏＴ（狭帯域モノのインターネット）変形態または任意の他の無線アクセス技術において使用される確立原因に対しても実施され得ることをも、理解されたい。将来の使用ために現在予約されている、アクセスカテゴリーの値８〜３１について、それらの値のうちの１つが規定された場合、ＮＲおよびＬＴＥにおける、最も適切なアクセスカテゴリー値からＲＲＣ確立原因への対応するマッピングも、規定される必要がある。たとえば、ＮＲおよび／またはＬＴＥにおいて、新しい適切なアクセスカテゴリー値を既存の確立原因値、たとえばＭＯデータにマッピングするために。または、代替的に、ＮＲおよび／またはＬＴＥにおいて、新しい確立原因値を規定し、新しい適切なアクセスカテゴリー値をこの新しい確立原因値にマッピングするために。
【００９４】
図１５は、発明概念のいくつかの実施形態による、最も適切なアクセスカテゴリー値の、それぞれの確立原因値へのマッピングの一例を示す表である。図１６は、発明概念のいくつかの実施形態による、オペレータ固有アクセスカテゴリールールに従って最も適切なアクセスカテゴリーを設定するために使用される、ＵＥ中の表を示す表である。
【００９５】
確立原因値のネットワーク設定が以下で説明される。代替実施形態によれば、オペレータ固有アクセスカテゴリーをもつ「最も適切なアクセス試行」について、図１３〜図１５において実施されるように、最も適切なアクセスカテゴリーを決定し、そのアクセスカテゴリーを確立原因にマッピングする代わりに、代替ソリューションがある。
【００９６】
一例では、ＵＥにおける、オペレータ固有アクセスカテゴリーの設定の一部として、確立原因の値が記憶される。言い換えれば、この特定のアクセスカテゴリーをもつ最も適切なアクセス試行によってトリガされたＲＲＣ接続確立を実施するとき、この特定の確立原因がＵＥによって使用される。これは、図１７に示されている。たとえば、図１７は、第１の行において、ＤＮＮ＝１８をもつＰＤＵセッションに関係するアクセス試行について、オペレータ固有アクセスカテゴリー３２がユニファイドアクセス制御において使用されることになることを示している。さらに、この特定のアクセス試行が、ＲＲＣ接続確立をトリガする最も適切なアクセス試行として選択されたとき、ＲＲＣ接続要求メッセージ中の確立原因は値「ＭＯデータ」にセットされる。
【００９７】
別の例では、オペレータ固有確立原因値を設定するために、同様の方法が使用され得、図１８を参照されたい。たとえば、図１８は、第１の行において、ＤＮＮ＝１８をもつＰＤＵセッションに関係するアクセス試行について、オペレータ固有アクセスカテゴリー３２がユニファイドアクセス制御において使用されることになることを示している。さらに、この特定のアクセス試行が、ＲＲＣ接続確立をトリガする最も適切なアクセス試行として選択されたとき、ＲＲＣ接続要求メッセージ中の確立原因は値「オペレータ固有＃８」にセットされる。また、たとえば、図１８の第２の行において設定されているように、スライス５を使用するアクセス試行は、オペレータ固有アクセスカテゴリー３３を使用し、確立原因オペレータ固有＃８上にマッピングされることになる。また、図１８中の第３の行において設定されているように、スライス８（およびＴＣＰ宛先ポート８８２０）を使用するアクセス試行は、オペレータ固有アクセスカテゴリー３８を使用し、確立原因オペレータ固有＃９上にマッピングされることになる。この例では、アクセス使用、たとえば、異なるスライスが、異なる確立原因（この例では、オペレータ固有＃８およびオペレータ固有＃９）にマッピングされ得、ネットワークがＲＲＣ接続要求メッセージを受信したとき、異なるハンドリングおよび／または優先度付けを得ることができる。
【００９８】
オペレータ固有アクセスカテゴリーのための確立原因を決定するために使用されるこの代替ソリューションは、図１３〜図１５によって示されているソリューションと組み合わせられ得ることを理解されたい。
【００９９】
たとえば、０以外の値をもつアクセス識別情報が、ＵＥ中で設定された場合、ＵＥは、ＵＥに、図１７〜図１８に示されているように、オペレータ固有アクセスカテゴリーのための確立原因が設定された場合でも、アクセス識別情報に基づく確立原因を使用することになる。
【０１００】
また、たとえば、最も適切なアクセスカテゴリーが、規格化されたアクセスカテゴリーのうちの１つである場合、ＵＥは、この代替ソリューションが、オペレータ固有アクセスカテゴリーのうちの１つである最も適切なアクセスカテゴリーのために使用されるときも、図１５に示されている確立原因へのマッピングを使用することができる。
【０１０１】
ここで説明される実施形態は、ＲＲＣ接続を要求するメッセージ、すなわちＲＲＣ接続要求メッセージ中に確立原因を含む場合について、示されている。このソリューションは、ＵＥがＲＲＣ＿ＩＮＡＣＴＩＶＥ状態にあるときにＲＲＣ接続を再開および／またはアクティブ化するようにとの要求（たとえばＲＲＣ再開要求）についても原因値を決定するためにも使用され得ることを、当業者は諒解されよう。ユニファイドアクセス制御は、一般に、この場合のために適用され、したがって、また、ユニファイドアクセス制御が、ＵＥからのメッセージの送信をトリガするアクセス試行のために適用されるとき、最も適切なアクセス試行が、この場合および同様の場合のために決定され得る。
【０１０２】
ここで説明されるＡＳ−ＮＡＳ対話のモデルは一例にすぎない。たとえば、このソリューションは、ＡＳおよび／またはＲＲＣレイヤが最も適切なアクセス試行、および、適用可能な場合、最も適切なアクセスカテゴリーを決定したときなど、他のモデルに対して適用され得ることを理解されたい。このソリューションは、ＡＳが確立原因を決定する場合またはＮＡＳが確立原因を決定する場合の両方においても適用され得ることをも、理解されたい。
【０１０３】
次に、（無線デバイスとも呼ばれる）ユーザ機器（ＵＥ）の動作が、図２８のフローチャートを参照しながら説明される。たとえば、ＵＥは、図１９の構造を使用して実装され得、モジュールが、（メモリとも呼ばれる）デバイス可読媒体１９３０に記憶され、その結果、モジュールは命令を提供し、その結果、モジュールの命令が、（プロセッサとも呼ばれる）処理回路要素１９２０によって実行されたとき、処理回路要素１９２０はそれぞれの動作を実施する。したがって、ＵＥの処理回路要素は、無線インターフェース１９１４を通して無線通信ネットワークの１つまたは複数のネットワークノード１９６０に／から通信を送信および／または受信し得る。
【０１０４】
ブロック２８０１において、処理回路要素１９２０は、無線インターフェース１９１４を通して無線通信ネットワークからオペレータ規定アクセスカテゴリーを受信し得る。ブロック２８０３において、処理回路要素１９２０は、たとえば、新しいプロトコルデータユニット（ＰＤＵ）セッションを確立することと、ボイス呼をセットアップすることと、ビデオ呼をセットアップすることとのうちの少なくとも１つに基づいて、アクセス試行を検出し得る。
【０１０５】
ブロック２８０５において、処理回路要素１９２０は、アクセス試行のために適用されるべき、複数のアクセスカテゴリーからのアクセスカテゴリーと複数のアクセス識別情報からの少なくとも１つのアクセス識別情報とを決定し得る。アクセスカテゴリーは、アクセス試行を検出したことに基づいて決定され得る。
【０１０６】
ブロック２８０７において、処理回路要素１９２０は、複数のアクセスカテゴリーから決定されたアクセスカテゴリーに基づいておよび複数のアクセス識別情報からの少なくとも１つのアクセス識別情報に基づいて、アクセス試行のための確立原因を決定し得る。
【０１０７】
ブロック２８０９において、処理回路要素１９２０は、複数のアクセスカテゴリーから決定されたアクセスカテゴリーに基づいておよび複数のアクセス識別情報からの少なくとも１つのアクセス識別情報に基づいて、アクセス試行のためのアクセス規制チェックを実施し得る。
【０１０８】
アクセス規制チェックがアクセス試行を許可したことに応答して、処理回路要素１９２０はアクセス試行を進め得る。たとえば、処理回路要素１９２０は、ブロック２８１１において、アクセス規制チェックがアクセス試行を許可したことに応答して、無線インターフェース１９１４を通して無線通信ネットワークにアクセス試行のためのランダムアクセスプリアンブルを送信することによって、およびブロック２８１３において、ランダムアクセスプリアンブルを送信した後に（無線インターフェース１９１４を通して）アクセス試行のためのランダムアクセス応答を受信することによって、アクセス試行を進め得る。
【０１０９】
ブロック２８１５において、処理回路要素１９２０は、ランダムアクセス応答を受信したことに応答して、無線インターフェース１９１４を通して無線通信ネットワークにアクセス試行のための接続要求メッセージを送信し得る。その上、接続要求メッセージは、アクセスカテゴリーに基づいておよび少なくとも１つのアクセス識別情報に基づいて決定された確立原因を含み得る。
【０１１０】
確立原因は、モバイル着信アクセスと、緊急呼と、モバイル発信シグナリングと、モバイル発信ボイス呼と、モバイル発信データと、高優先度アクセスとを含む、複数の確立原因のうちの１つを含み得る。その上、確立原因は、アクセスカテゴリーに基づいておよび少なくとも１つのアクセス識別情報に基づいて、複数のアクセスカテゴリーから決定されたアクセスカテゴリーを確立原因にマッピングすることに基づいてモバイル着信アクセス、緊急呼、モバイル発信シグナリング、モバイル発信ボイス呼、および／またはモバイル発信データのうちの１つであるものとして決定され得る。確立原因は、複数のアクセスカテゴリーから決定されたアクセスカテゴリーを確立原因にマッピングすることに基づいて、およびＵＥのための少なくとも１つのアクセス識別情報が０であることに基づいて決定され得る。
【０１１１】
複数のアクセスカテゴリーはオペレータ規定アクセスカテゴリーを含み得、オペレータ規定アクセスカテゴリーは、データネットワーク名とスライス識別子とのうちの少なくとも１つに基づく。
【０１１２】
ブロック２８０５においてアクセスカテゴリーおよび少なくとも１つのアクセス識別情報を決定することは、オペレータ規定アクセスカテゴリーがアクセス試行のために適用されるべきであると決定することを含み得、確立原因は、オペレータ規定アクセスカテゴリーを確立原因にマッピングすることに基づいて決定され得る。たとえば、オペレータ規定アクセスカテゴリーは、データネットワーク名とスライス識別子とのうちの少なくとも１つに基づき得、オペレータ規定アクセスカテゴリーをマッピングすることは、モバイル発信データのためにオペレータ規定アクセスカテゴリーを確立原因にマッピングすることを含み得る。
【０１１３】
いくつかの実施形態によれば、確立原因は、ＵＥのための少なくとも１つのアクセス識別情報が非０であることに基づいて、高優先度アクセスであるものとして決定され得る。
【０１１４】
いくつかの実施形態によれば、ブロック２８１５の接続要求メッセージは無線リソース制御（ＲＲＣ）接続要求メッセージであり得、確立原因はＲＲＣ確立原因であり得る。いくつかの他の実施形態によれば、接続要求メッセージは無線リソース制御（ＲＲＣ）再開要求メッセージであり得、確立原因はＲＲＣ再開原因である。
【０１１５】
図２８の様々な動作は、発明概念のいくつかの実施形態に関して随意であり得る。たとえば、図２８の動作２８０１、２８０３、２８０９、２８１１、および２８１３は、本明細書で開示されるいくつかの実施形態に関して随意であり得る。
【０１１６】
図１９は、発明概念のいくつかの実施形態による、無線ネットワークを示すブロック図である。本明細書で説明される主題は、任意の好適な構成要素を使用する任意の適切なタイプのシステムにおいて実装され得るが、本明細書で開示される実施形態は、図１９に示されている例示的な無線ネットワークなどの無線ネットワークに関して説明される。簡単のために、図１９の無線ネットワークは、ネットワーク１９０６、ネットワークノード１９６０および１９６０ｂ、ならびにＷＤ１９１０、１９１０ｂ、および１９１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１９６０および無線デバイス（ＷＤ）１９１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【０１１７】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【０１１８】
ネットワーク１９０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【０１１９】
ネットワークノード１９６０およびＷＤ１９１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【０１２０】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、およびエボルブドノードＢ（ｅＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【０１２１】
図１９では、ネットワークノード１９６０は、処理回路要素１９７０と、デバイス可読媒体１９８０と、インターフェース１９９０と、補助機器１９８４と、電源１９８６と、電力回路要素１９８７と、アンテナ１９６２とを含む。図１９の例示的な無線ネットワーク中に示されているネットワークノード１９６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１９６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１９８０は、複数の別個のハードドライブならびに複数のＲＡＭモジュールを備え得る）。
【０１２２】
同様に、ネットワークノード１９６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１９６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１９６０は、複数の無線アクセス技術（ＲＡＴ）をサポートするように設定され得る。そのような実施形態では、いくつかの構成要素は複製され得（たとえば、異なるＲＡＴのための別個のデバイス可読媒体１９８０）、いくつかの構成要素は再使用され得る（たとえば、同じアンテナ１９６２がＲＡＴによって共有され得る）。ネットワークノード１９６０は、ネットワークノード１９６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１９６０内の他の構成要素に統合され得る。
【０１２３】
処理回路要素１９７０は、ネットワークノードによって提供されるものとして本明細書で説明される、任意の決定動作、計算動作、または同様の動作（たとえば、いくつかの取得動作）を実施するように設定される。処理回路要素１９７０によって実施されるこれらの動作は、処理回路要素１９７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【０１２４】
処理回路要素１９７０は、単体で、またはデバイス可読媒体１９８０などの他のネットワークノード１９６０構成要素と併せてのいずれかで、ネットワークノード１９６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素１９７０は、デバイス可読媒体１９８０に記憶された命令、または処理回路要素１９７０内のメモリに記憶された命令を実行し得る。そのような機能性は、本明細書で説明される様々な無線特徴、機能、または利益のうちのいずれかを提供することを含み得る。いくつかの実施形態では、処理回路要素１９７０は、システムオンチップ（ＳＯＣ）を含み得る。
【０１２５】
いくつかの実施形態では、処理回路要素１９７０は、無線周波数（ＲＦ）トランシーバ回路要素１９７２とベースバンド処理回路要素１９７４とのうちの１つまたは複数を含み得る。いくつかの実施形態では、無線周波数（ＲＦ）トランシーバ回路要素１９７２とベースバンド処理回路要素１９７４とは、別個のチップ（またはチップのセット）、ボード、または無線ユニットおよびデジタルユニットなどのユニット上にあり得る。代替実施形態では、ＲＦトランシーバ回路要素１９７２とベースバンド処理回路要素１９７４との一部または全部は、同じチップまたはチップのセット、ボード、あるいはユニット上にあり得る。
【０１２６】
いくつかの実施形態では、ネットワークノード、基地局、ｅＮＢまたは他のそのようなネットワークデバイスによって提供されるものとして本明細書で説明される機能性の一部または全部は、デバイス可読媒体１９８０、または処理回路要素１９７０内のメモリに記憶された、命令を実行する処理回路要素１９７０によって実施され得る。代替実施形態では、機能性の一部または全部は、ハードワイヤード様式などで、別個のまたは個別のデバイス可読媒体に記憶された命令を実行することなしに、処理回路要素１９７０によって提供され得る。それらの実施形態のいずれでも、デバイス可読記憶媒体に記憶された命令を実行するか否かにかかわらず、処理回路要素１９７０は、説明される機能性を実施するように設定され得る。そのような機能性によって提供される利益は、処理回路要素１９７０単独に、またはネットワークノード１９６０の他の構成要素に限定されないが、全体としてネットワークノード１９６０によって、ならびに／または概してエンドユーザおよび無線ネットワークによって、享受される。
【０１２７】
デバイス可読媒体１９８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素１９７０によって使用され得る情報、データ、および／または命令を記憶する、任意の他の揮発性または不揮発性、非一時的デバイス可読および／またはコンピュータ実行可能メモリデバイスを備え得る。デバイス可読媒体１９８０は、コンピュータプログラム、ソフトウェア、論理、ルール、コード、表などのうちの１つまたは複数を含むアプリケーション、および／または処理回路要素１９７０によって実行されることが可能であり、ネットワークノード１９６０によって利用される、他の命令を含む、任意の好適な命令、データまたは情報を記憶し得る。デバイス可読媒体１９８０は、処理回路要素１９７０によって行われた計算および／またはインターフェース１９９０を介して受信されたデータを記憶するために使用され得る。いくつかの実施形態では、処理回路要素１９７０およびデバイス可読媒体１９８０は、統合されていると見なされ得る。
【０１２８】
インターフェース１９９０は、ネットワークノード１９６０、ネットワーク１９０６、および／またはＷＤ１９１０の間のシグナリングおよび／またはデータの有線または無線通信において使用される。示されているように、インターフェース１９９０は、たとえば有線接続上でネットワーク１９０６との間でデータを送るおよび受信するための（１つまたは複数の）ポート／（１つまたは複数の）端末１９９４を備える。インターフェース１９９０は、アンテナ１９６２に結合されるか、またはいくつかの実施形態では、アンテナ１９６２の一部であり得る、無線フロントエンド回路要素１９９２をも含む。無線フロントエンド回路要素１９９２は、フィルタ１９９８と増幅器１９９６とを備える。無線フロントエンド回路要素１９９２は、アンテナ１９６２および処理回路要素１９７０に接続され得る。無線フロントエンド回路要素は、アンテナ１９６２と処理回路要素１９７０との間で通信される信号を調節するように設定され得る。無線フロントエンド回路要素１９９２は、無線接続を介して他のネットワークノードまたはＷＤに送出されるべきであるデジタルデータを受信し得る。無線フロントエンド回路要素１９９２は、デジタルデータを、フィルタ１９９８および／または増幅器１９９６の組合せを使用して適切なチャネルおよび帯域幅パラメータを有する無線信号に変換し得る。無線信号は、次いで、アンテナ１９６２を介して送信され得る。同様に、データを受信するとき、アンテナ１９６２は無線信号を集め得、次いで、無線信号は無線フロントエンド回路要素１９９２によってデジタルデータに変換される。デジタルデータは、処理回路要素１９７０に受け渡され得る。他の実施形態では、インターフェースは、異なる構成要素および／または構成要素の異なる組合せを備え得る。
【０１２９】
いくつかの代替実施形態では、ネットワークノード１９６０は別個の無線フロントエンド回路要素１９９２を含まないことがあり、代わりに、処理回路要素１９７０は、無線フロントエンド回路要素を備え得、別個の無線フロントエンド回路要素１９９２なしでアンテナ１９６２に接続され得る。同様に、いくつかの実施形態では、ＲＦトランシーバ回路要素１９７２の全部または一部が、インターフェース１９９０の一部と見なされ得る。さらに他の実施形態では、インターフェース１９９０は、無線ユニット（図示せず）の一部として、１つまたは複数のポートまたは端末１９９４と、無線フロントエンド回路要素１９９２と、ＲＦトランシーバ回路要素１９７２とを含み得、インターフェース１９９０は、デジタルユニット（図示せず）の一部であるベースバンド処理回路要素１９７４と通信し得る。
【０１３０】
アンテナ１９６２は、無線信号を送り、および／または受信するように設定された、１つまたは複数のアンテナまたはアンテナアレイを含み得る。アンテナ１９６２は、無線フロントエンド回路要素１９９２に結合され得、データおよび／または信号を無線で送信および受信することが可能な任意のタイプのアンテナであり得る。いくつかの実施形態では、アンテナ１９６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１９６２は、ネットワークノード１９６０とは別個であり得、インターフェースまたはポートを通してネットワークノード１９６０に接続可能であり得る。
【０１３１】
アンテナ１９６２、インターフェース１９９０、および／または処理回路要素１９７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ１９６２、インターフェース１９９０、および／または処理回路要素１９７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【０１３２】
電力回路要素１９８７は、電力管理回路要素を備えるか、または電力管理回路要素に結合され得、本明細書で説明される機能性を実施するための電力を、ネットワークノード１９６０の構成要素に供給するように設定される。電力回路要素１９８７は、電源１９８６から電力を受信し得る。電源１９８６および／または電力回路要素１９８７は、それぞれの構成要素に好適な形式で（たとえば、各それぞれの構成要素のために必要とされる電圧および電流レベルにおいて）、ネットワークノード１９６０の様々な構成要素に電力を提供するように設定され得る。電源１９８６は、電力回路要素１９８７および／またはネットワークノード１９６０中に含まれるか、あるいは電力回路要素１９８７および／またはネットワークノード１９６０の外部にあるかのいずれかであり得る。たとえば、ネットワークノード１９６０は、電気ケーブルなどの入力回路要素またはインターフェースを介して外部電源（たとえば、電気コンセント）に接続可能であり得、それにより、外部電源は電力回路要素１９８７に電力を供給する。さらなる例として、電源１９８６は、電力回路要素１９８７に接続された、または電力回路要素１９８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１３３】
ネットワークノード１９６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図１９に示されている構成要素以外の追加の構成要素を含み得る。たとえば、ネットワークノード１９６０は、ネットワークノード１９６０への情報の入力を可能にするための、およびネットワークノード１９６０からの情報の出力を可能にするための、ユーザインターフェース機器を含み得る。これは、ユーザが、ネットワークノード１９６０のための診断、メンテナンス、修復、および他のアドミニストレーティブ機能を実施することを可能にし得る。
【０１３４】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシン間（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【０１３５】
示されているように、無線デバイス１９１０は、アンテナ１９１１と、インターフェース１９１４と、処理回路要素１９２０と、デバイス可読媒体１９３０と、ユーザインターフェース機器１９３２と、補助機器１９３４と、電源１９３６と、電力回路要素１９３７とを含む。ＷＤ１９１０は、ＷＤ１９１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１９１０内の他の構成要素と同じまたは異なるチップまたはチップのセットに統合され得る。
【０１３６】
アンテナ１９１１は、無線信号を送り、および／または受信するように設定された、１つまたは複数のアンテナまたはアンテナアレイを含み得、インターフェース１９１４に接続される。いくつかの代替実施形態では、アンテナ１９１１は、ＷＤ１９１０とは別個であり、インターフェースまたはポートを通してＷＤ１９１０に接続可能であり得る。アンテナ１９１１、インターフェース１９１４、および／または処理回路要素１９２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ１９１１は、インターフェースと見なされ得る。
【０１３７】
示されているように、インターフェース１９１４は、無線フロントエンド回路要素１９１２とアンテナ１９１１とを備える。無線フロントエンド回路要素１９１２は、１つまたは複数のフィルタ１９１８と増幅器１９１６とを備える。無線フロントエンド回路要素１９１２は、アンテナ１９１１および処理回路要素１９２０に接続され、アンテナ１９１１と処理回路要素１９２０との間で通信される信号を調節するように設定される。無線フロントエンド回路要素１９１２は、アンテナ１９１１に結合されるか、またはアンテナ１９１１の一部であり得る。いくつかの実施形態では、ＷＤ１９１０は別個の無線フロントエンド回路要素１９１２を含まないことがあり、むしろ、処理回路要素１９２０は、無線フロントエンド回路要素を備え得、アンテナ１９１１に接続され得る。同様に、いくつかの実施形態では、ＲＦトランシーバ回路要素１９２２の一部または全部が、インターフェース１９１４の一部と見なされ得る。無線フロントエンド回路要素１９１２は、無線接続を介して他のネットワークノードまたはＷＤに送出されるべきであるデジタルデータを受信し得る。無線フロントエンド回路要素１９１２は、デジタルデータを、フィルタ１９１８および／または増幅器１９１６の組合せを使用して適切なチャネルおよび帯域幅パラメータを有する無線信号に変換し得る。無線信号は、次いで、アンテナ１９１１を介して送信され得る。同様に、データを受信するとき、アンテナ１９１１は無線信号を集め得、次いで、無線信号は無線フロントエンド回路要素１９１２によってデジタルデータに変換される。デジタルデータは、処理回路要素１９２０に受け渡され得る。他の実施形態では、インターフェースは、異なる構成要素および／または構成要素の異なる組合せを備え得る。
【０１３８】
処理回路要素１９２０は、単体で、またはデバイス可読媒体１９３０などの他のＷＤ１９１０構成要素と併せてのいずれかで、ＷＤ１９１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素１９２０は、本明細書で開示される機能性を提供するために、デバイス可読媒体１９３０に記憶された命令、または処理回路要素１９２０内のメモリに記憶された命令を実行し得る。
【０１３９】
示されているように、処理回路要素１９２０は、ＲＦトランシーバ回路要素１９２２、ベースバンド処理回路要素１９２４、およびアプリケーション処理回路要素１９２６のうちの１つまたは複数を含む。他の実施形態では、処理回路要素は、異なる構成要素および／または構成要素の異なる組合せを備え得る。いくつかの実施形態では、ＷＤ１９１０の処理回路要素１９２０は、ＳＯＣを備え得る。いくつかの実施形態では、ＲＦトランシーバ回路要素１９２２、ベースバンド処理回路要素１９２４、およびアプリケーション処理回路要素１９２６は、別個のチップまたはチップのセット上にあり得る。代替実施形態では、ベースバンド処理回路要素１９２４およびアプリケーション処理回路要素１９２６の一部または全部は１つのチップまたはチップのセットになるように組み合わせられ得、ＲＦトランシーバ回路要素１９２２は別個のチップまたはチップのセット上にあり得る。さらに代替の実施形態では、ＲＦトランシーバ回路要素１９２２およびベースバンド処理回路要素１９２４の一部または全部は同じチップまたはチップのセット上にあり得、アプリケーション処理回路要素１９２６は別個のチップまたはチップのセット上にあり得る。また他の代替実施形態では、ＲＦトランシーバ回路要素１９２２、ベースバンド処理回路要素１９２４、およびアプリケーション処理回路要素１９２６の一部または全部は、同じチップまたはチップのセット中で組み合わせられ得る。いくつかの実施形態では、ＲＦトランシーバ回路要素１９２２は、インターフェース１９１４の一部であり得る。ＲＦトランシーバ回路要素１９２２は、処理回路要素１９２０のためのＲＦ信号を調節し得る。
【０１４０】
いくつかの実施形態では、ＷＤによって実施されるものとして本明細書で説明される機能性の一部または全部は、デバイス可読媒体１９３０に記憶された命令を実行する処理回路要素１９２０によって提供され得、デバイス可読媒体１９３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素１９２０によって提供され得る。それらの特定の実施形態のいずれでも、デバイス可読記憶媒体に記憶された命令を実行するか否かにかかわらず、処理回路要素１９２０は、説明される機能性を実施するように設定され得る。そのような機能性によって提供される利益は、処理回路要素１９２０単独に、またはＷＤ１９１０の他の構成要素に限定されないが、全体としてＷＤ１９１０によって、ならびに／または概してエンドユーザおよび無線ネットワークによって、享受される。
【０１４１】
処理回路要素１９２０は、ＷＤによって実施されるものとして本明細書で説明される、任意の決定動作、計算動作、または同様の動作（たとえば、いくつかの取得動作）を実施するように設定され得る。処理回路要素１９２０によって実施されるようなこれらの動作は、処理回路要素１９２０によって取得された情報を、たとえば、取得された情報を他の情報に変換することによって、処理すること、取得された情報または変換された情報をＷＤ１９１０によって記憶された情報と比較すること、ならびに／あるいは、取得された情報または変換された情報に基づいて、および前記処理が決定を行ったことの結果として、１つまたは複数の動作を実施することを含み得る。
【０１４２】
デバイス可読媒体１９３０は、コンピュータプログラム、ソフトウェア、論理、ルール、コード、表などのうちの１つまたは複数を含むアプリケーション、および／または処理回路要素１９２０によって実行されることが可能な他の命令を記憶するように動作可能であり得る。デバイス可読媒体１９３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素１９２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素１９２０およびデバイス可読媒体１９３０は、統合されていると見なされ得る。
【０１４３】
ユーザインターフェース機器１９３２は、人間のユーザがＷＤ１９１０と対話することを可能にする構成要素を提供し得る。そのような対話は、視覚、聴覚、触覚など、多くの形式のものであり得る。ユーザインターフェース機器１９３２は、ユーザへの出力を作り出すように、およびユーザがＷＤ１９１０への入力を提供することを可能にするように動作可能であり得る。対話のタイプは、ＷＤ１９１０にインストールされるユーザインターフェース機器１９３２のタイプに応じて変動し得る。たとえば、ＷＤ１９１０がスマートフォンである場合、対話はタッチスクリーンを介したものであり得、ＷＤ１９１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１９３２は、入力インターフェース、デバイスおよび回路、ならびに、出力インターフェース、デバイスおよび回路を含み得る。ユーザインターフェース機器１９３２は、ＷＤ１９１０への情報の入力を可能にするように設定され、処理回路要素１９２０が入力情報を処理することを可能にするために、処理回路要素１９２０に接続される。ユーザインターフェース機器１９３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器１９３２はまた、ＷＤ１９１０からの情報の出力を可能にするように、および処理回路要素１９２０がＷＤ１９１０からの情報を出力することを可能にするように設定される。ユーザインターフェース機器１９３２は、たとえば、スピーカー、ディスプレイ、振動回路要素、ＵＳＢポート、ヘッドフォンインターフェース、または他の出力回路要素を含み得る。ユーザインターフェース機器１９３２の１つまたは複数の入力および出力インターフェース、デバイス、および回路を使用して、ＷＤ１９１０は、エンドユーザおよび／または無線ネットワークと通信し、エンドユーザおよび／または無線ネットワークが本明細書で説明される機能性から利益を得ることを可能にし得る。
【０１４４】
補助機器１９３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器１９３４の構成要素の包含およびタイプは、実施形態および／またはシナリオに応じて変動し得る。
【０１４５】
電源１９３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１９１０は、電源１９３６から、本明細書で説明または指示される任意の機能性を行うために電源１９３６からの電力を必要とする、ＷＤ１９１０の様々な部分に電力を配信するための、電力回路要素１９３７をさらに備え得る。電力回路要素１９３７は、いくつかの実施形態では、電力管理回路要素を備え得る。電力回路要素１９３７は、追加または代替として、外部電源から電力を受信するように動作可能であり得、その場合、ＷＤ１９１０は、電力ケーブルなどの入力回路要素またはインターフェースを介して（電気コンセントなどの）外部電源に接続可能であり得る。電力回路要素１９３７はまた、いくつかの実施形態では、外部電源から電源１９３６に電力を配信するように動作可能であり得る。これは、たとえば、電源１９３６の充電のためのものであり得る。電力回路要素１９３７は、電源１９３６からの電力に対して、その電力を、電力が供給されるＷＤ１９１０のそれぞれの構成要素に好適であるようにするために、任意のフォーマッティング、変換、または他の修正を実施し得る。
【０１４６】
図２０は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイスを表し得る。ＵＥはまた、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥを備え得る。図２０に示されているＵＥ２０００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図２０はＵＥであるが、本明細書で説明される構成要素は、ＷＤに等しく適用可能であり、その逆も同様である。
【０１４７】
図２０では、ＵＥ２０００は、入出力インターフェース２００５、無線周波数（ＲＦ）インターフェース２００９、ネットワーク接続インターフェース２０１１、ランダムアクセスメモリ（ＲＡＭ）２０１７と読取り専用メモリ（ＲＯＭ）２０１９と記憶媒体２０２１などとを含むメモリ２０１５、通信サブシステム２０３１、電源２０１３、および／または他の構成要素、あるいはそれらの任意の組合せに動作可能に結合された、処理回路要素２００１を含む。記憶媒体２０２１は、オペレーティングシステム２０２３と、アプリケーションプログラム２０２５と、データ２０２７とを含む。他の実施形態では、記憶媒体２０２１は、他の同様のタイプの情報を含み得る。いくつかのＵＥは、図２０に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１４８】
図２０では、処理回路要素２００１は、コンピュータ命令およびデータを処理するように設定され得る。処理回路要素２００１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素２００１は、２つの中央処理ユニット（ＣＰＵ）を含み得る。データは、コンピュータによる使用に好適な形式での情報であり得る。
【０１４９】
図示された実施形態では、入出力インターフェース２００５は、入力デバイス、出力デバイス、または入出力デバイスに通信インターフェースを提供するように設定され得る。ＵＥ２０００は、入出力インターフェース２００５を介して出力デバイスを使用するように設定され得る。出力デバイスは、入力デバイスと同じタイプのインターフェースポートを使用し得る。たとえば、ＵＥ２０００への入力およびＵＥ２０００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ２０００は、ユーザがＵＥ２０００に情報をキャプチャすることを可能にするために、入出力インターフェース２００５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１５０】
図２０では、ＲＦインターフェース２００９は、送信機、受信機、およびアンテナなど、ＲＦ構成要素に通信インターフェースを提供するように設定され得る。ネットワーク接続インターフェース２０１１は、ネットワーク２０４３ａに通信インターフェースを提供するように設定され得る。ネットワーク２０４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２０４３ａは、Ｗｉ−Ｆｉネットワークを備え得る。ネットワーク接続インターフェース２０１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース２０１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【０１５１】
ＲＡＭ２０１７は、オペレーティングシステム、アプリケーションプログラム、およびデバイスドライバなど、ソフトウェアプログラムの実行中に、データまたはコンピュータ命令の記憶またはキャッシングを提供するために、バス２００２を介して処理回路要素２００１にインターフェースするように設定され得る。ＲＯＭ２０１９は、処理回路要素２００１にコンピュータ命令またはデータを提供するように設定され得る。たとえば、ＲＯＭ２０１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体２０２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体２０２１は、オペレーティングシステム２０２３と、ウェブブラウザアプリケーション、ウィジェットまたはガジェットエンジン、あるいは別のアプリケーションなどのアプリケーションプログラム２０２５と、データファイル２０２７とを含むように設定され得る。記憶媒体２０２１は、ＵＥ２０００による使用のために、多様な様々なオペレーティングシステムまたはオペレーティングシステムの組合せのうちのいずれかを記憶し得る。
【０１５２】
記憶媒体２０２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体２０２１は、ＵＥ２０００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体２０２１中に有形に具現され得、記憶媒体２０２１はデバイス可読媒体を備え得る。
【０１５３】
図２０では、処理回路要素２００１は、通信サブシステム２０３１を使用してネットワーク２０４３ｂと通信するように設定され得る。ネットワーク２０４３ａとネットワーク２０４３ｂとは、同じ１つまたは複数のネットワークまたは異なる１つまたは複数のネットワークであり得る。通信サブシステム２０３１は、ネットワーク２０４３ｂと通信するために使用される１つまたは複数のトランシーバを含むように設定され得る。たとえば、通信サブシステム２０３１は、ＩＥＥＥ８０２．２０、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機２０３３および／または受信機２０３５を含み得る。さらに、各トランシーバの送信機２０３３および受信機２０３５は、回路構成要素、ソフトウェアまたはファームウェアを共有し得るか、あるいは、代替的に、別個に実装され得る。
【０１５４】
示されている実施形態では、通信サブシステム２０３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム２０３１は、セルラー通信と、Ｗｉ−Ｆｉ通信と、Ｂｌｕｅｔｏｏｔｈ通信と、ＧＰＳ通信とを含み得る。ネットワーク２０４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク２０４３ｂは、セルラーネットワーク、Ｗｉ−Ｆｉネットワーク、および／またはニアフィールドネットワークであり得る。電源２０１３は、ＵＥ２０００の構成要素に交流（ＡＣ）または直流（ＤＣ）電力を提供するように設定され得る。
【０１５５】
本明細書で説明される特徴、利益および／または機能は、ＵＥ２０００の構成要素のうちの１つにおいて実装されるか、またはＵＥ２０００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム２０３１は、本明細書で説明される構成要素のうちのいずれかを含むように設定され得る。さらに、処理回路要素２００１は、バス２００２上でそのような構成要素のうちのいずれかと通信するように設定され得る。別の例では、そのような構成要素のうちのいずれかは、処理回路要素２００１によって実行されたとき、本明細書で説明される対応する機能を実施する、メモリに記憶されたプログラム命令によって表され得る。別の例では、そのような構成要素のうちのいずれかの機能性は、処理回路要素２００１と通信サブシステム２０３１との間で分割され得る。別の例では、そのような構成要素のうちのいずれかの非計算集約的機能が、ソフトウェアまたはファームウェアで実装され得、計算集約的機能がハードウェアで実装され得る。
【０１５６】
図２１は、いくつかの実施形態によって実装される機能が仮想化され得る、仮想化環境２１００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１５７】
いくつかの実施形態では、本明細書で説明される機能の一部または全部は、ハードウェアノード２１３０のうちの１つまたは複数によってホストされる１つまたは複数の仮想環境２１００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１５８】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション２１２０によって実装され得る。アプリケーション２１２０は、処理回路要素２１６０とメモリ２１９０−１とを備えるハードウェア２１３０を提供する、仮想化環境２１００において稼働される。メモリ２１９０−１は、処理回路要素２１６０によって実行可能な命令２１９５を含んでおり、それにより、アプリケーション２１２０は、本明細書で開示される特徴、利益、および／または機能のうちの１つまたは複数を提供するように動作可能である。
【０１５９】
仮想化環境２１００は、１つまたは複数のプロセッサのセットまたは処理回路要素２１６０を備える、汎用または専用のネットワークハードウェアデバイス２１３０を備え、１つまたは複数のプロセッサのセットまたは処理回路要素２１６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ２１９０−１を備え得、メモリ２１９０−１は、処理回路要素２１６０によって実行される命令２１９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）２１７０を備え得、ネットワークインターフェースコントローラ（ＮＩＣ）２１７０は物理ネットワークインターフェース２１８０を含む。各ハードウェアデバイスは、処理回路要素２１６０によって実行可能なソフトウェア２１９５および／または命令を記憶した、非一時的、永続的、機械可読記憶媒体２１９０−２をも含み得る。ソフトウェア２１９５は、１つまたは複数の（ハイパーバイザとも呼ばれる）仮想化レイヤ２１５０をインスタンス化するためのソフトウェア、仮想マシン２１４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１６０】
仮想マシン２１４０は、仮想処理、仮想メモリ、仮想ネットワーキングまたはインターフェース、および仮想記憶域を備え、対応する仮想化レイヤ２１５０またはハイパーバイザによって稼働され得る。仮想アプライアンス２１２０の事例の異なる実施形態が、仮想マシン２１４０のうちの１つまたは複数上で実装され得、実装は異なるやり方で行われ得る。
【０１６１】
動作中に、処理回路要素２１６０は、ソフトウェア２１９５を実行してハイパーバイザまたは仮想化レイヤ２１５０をインスタンス化し、ハイパーバイザまたは仮想化レイヤ２１５０は、時々、仮想マシンモニタ（ＶＭＭ）と呼ばれることがある。仮想化レイヤ２１５０は、仮想マシン２１４０に、ネットワーキングハードウェアのように見える仮想動作プラットフォームを提示し得る。
【０１６２】
図２１に示されているように、ハードウェア２１３０は、一般的なまたは特定の構成要素をもつスタンドアロンネットワークノードであり得る。ハードウェア２１３０は、アンテナ２１２２５を備え得、仮想化を介していくつかの機能を実装し得る。代替的に、ハードウェア２１３０は、多くのハードウェアノードが協働し、特に、アプリケーション２１２０のライフサイクル管理を監督する、管理およびオーケストレーション（ＭＡＮＯ）２１１００を介して管理される、（たとえば、データセンターまたは顧客構内機器（ＣＰＥ）の場合のような）ハードウェアのより大きいクラスタの一部であり得る。
【０１６３】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１６４】
ＮＦＶのコンテキストでは、仮想マシン２１４０は、プログラムを、それらのプログラムが、物理的な仮想化されていないマシン上で実行しているかのように稼働する、物理マシンのソフトウェア実装形態であり得る。仮想マシン２１４０の各々と、その仮想マシンに専用のハードウェアであろうと、および／またはその仮想マシンによって仮想マシン２１４０のうちの他の仮想マシンと共有されるハードウェアであろうと、その仮想マシンを実行するハードウェア２１３０のその一部とは、別個の仮想ネットワークエレメント（ＶＮＥ）を形成する。
【０１６５】
さらにＮＦＶのコンテキストにおいて、仮想ネットワーク機能（ＶＮＦ）は、ハードウェアネットワーキングインフラストラクチャ２１３０の上の１つまたは複数の仮想マシン２１４０において稼働する特定のネットワーク機能をハンドリングすることを担当し、図２１中のアプリケーション２１２０に対応する。
【０１６６】
いくつかの実施形態では、各々、１つまたは複数の送信機２１２２０と１つまたは複数の受信機２１２１０とを含む、１つまたは複数の無線ユニット２１２００は、１つまたは複数のアンテナ２１２２５に結合され得る。無線ユニット２１２００は、１つまたは複数の適切なネットワークインターフェースを介してハードウェアノード２１３０と直接通信し得、無線アクセスノードまたは基地局など、無線能力をもつ仮想ノードを提供するために仮想構成要素と組み合わせて使用され得る。
【０１６７】
いくつかの実施形態では、何らかのシグナリングが、ハードウェアノード２１３０と無線ユニット２１２００との間の通信のために代替的に使用され得る制御システム２１２３０を使用して、影響を及ぼされ得る。
【０１６８】
図２２は、発明概念のいくつかの実施形態による、中間ネットワークを介してホストコンピュータに接続された通信ネットワークを示す。図２２を参照すると、一実施形態によれば、通信システムが、無線アクセスネットワークなどのアクセスネットワーク２２１１とコアネットワーク２２１４とを備える、３ＧＰＰタイプセルラーネットワークなどの通信ネットワーク２２１０を含む。アクセスネットワーク２２１１は、ＮＢ、ｅＮＢ、ｇＮＢまたは他のタイプの無線アクセスポイントなど、複数の基地局２２１２ａ、２２１２ｂ、２２１２ｃを備え、各々が、対応するカバレッジエリア２２１３ａ、２２１３ｂ、２２１３ｃを規定する。各基地局２２１２ａ、２２１２ｂ、２２１２ｃは、有線接続または無線接続２２１５上でコアネットワーク２２１４に接続可能である。カバレッジエリア２２１３ｃ中に位置する第１のＵＥ２２９１が、対応する基地局２２１２ｃに無線で接続するか、または対応する基地局２２１２ｃによってページングされるように設定される。カバレッジエリア２２１３ａ中の第２のＵＥ２２９２が、対応する基地局２２１２ａに無線で接続可能である。この例では複数のＵＥ２２９１、２２９２が示されているが、開示される実施形態は、唯一のＵＥがカバレッジエリア中にある状況、または唯一のＵＥが対応する基地局２２１２に接続している状況に等しく適用可能である。
【０１６９】
通信ネットワーク２２１０は、それ自体、ホストコンピュータ２２３０に接続され、ホストコンピュータ２２３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ２２３０は、サービスプロバイダの所有または制御下にあり得、あるいはサービスプロバイダによってまたはサービスプロバイダに代わって動作され得る。通信ネットワーク２２１０とホストコンピュータ２２３０との間の接続２２２１および２２２２は、コアネットワーク２２１４からホストコンピュータ２２３０に直接延び得るか、または随意の中間ネットワーク２２２０を介して進み得る。中間ネットワーク２２２０は、パブリックネットワーク、プライベートネットワーク、またはホストされたネットワークのうちの１つ、またはそれらのうちの２つ以上の組合せであり得、中間ネットワーク２２２０は、もしあれば、バックボーンネットワークまたはインターネットであり得、特に、中間ネットワーク２２２０は、２つまたはそれ以上のサブネットワーク（図示せず）を備え得る。
【０１７０】
図２２の通信システムは全体として、接続されたＵＥ２２９１、２２９２とホストコンピュータ２２３０との間のコネクティビティを可能にする。コネクティビティは、オーバーザトップ（ＯＴＴ）接続２２５０として説明され得る。ホストコンピュータ２２３０および接続されたＵＥ２２９１、２２９２は、アクセスネットワーク２２１１、コアネットワーク２２１４、任意の中間ネットワーク２２２０、および考えられるさらなるインフラストラクチャ（図示せず）を媒介として使用して、ＯＴＴ接続２２５０を介して、データおよび／またはシグナリングを通信するように設定される。ＯＴＴ接続２２５０は、ＯＴＴ接続２２５０が通過する、参加する通信デバイスが、アップリンクおよびダウンリンク通信のルーティングに気づいていないという意味で、透過的であり得る。たとえば、基地局２２１２は、接続されたＵＥ２２９１にフォワーディング（たとえば、ハンドオーバ）されるべき、ホストコンピュータ２２３０から発生したデータを伴う着信ダウンリンク通信の過去のルーティングについて、通知されないことがあるかまたは通知される必要がない。同様に、基地局２２１２は、ＵＥ２２９１から発生してホストコンピュータ２２３０に向かう発信アップリンク通信の将来ルーティングに気づいている必要がない。図２３は、発明概念のいくつかの実施形態による、部分的無線接続上で基地局を介してユーザ機器と通信するホストコンピュータを示す。次に、一実施形態による、前の段落において説明されたＵＥ、基地局およびホストコンピュータの例示的な実装形態が、図２３を参照しながら説明される。通信システム２３００では、ホストコンピュータ２３１０が、通信システム２３００の異なる通信デバイスのインターフェースとの有線接続または無線接続をセットアップおよび維持するように設定された通信インターフェース２３１６を含む、ハードウェア２３１５を備える。ホストコンピュータ２３１０は、記憶能力および／または処理能力を有し得る、処理回路要素２３１８をさらに備える。特に、処理回路要素２３１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ２３１０は、ホストコンピュータ２３１０に記憶されるかまたはホストコンピュータ２３１０によってアクセス可能であり、処理回路要素２３１８によって実行可能である、ソフトウェア２３１１をさらに備える。ソフトウェア２３１１は、ホストアプリケーション２３１２を含む。ホストアプリケーション２３１２は、ＵＥ２３３０およびホストコンピュータ２３１０において終端するＯＴＴ接続２３５０を介して接続するＵＥ２３３０など、リモートユーザにサービスを提供するように動作可能であり得る。リモートユーザにサービスを提供する際に、ホストアプリケーション２３１２は、ＯＴＴ接続２３５０を使用して送信されるユーザデータを提供し得る。
【０１７１】
通信システム２３００は、通信システム中に提供される基地局２３２０をさらに含み、基地局２３２０は、基地局２３２０がホストコンピュータ２３１０およびＵＥ２３３０と通信することを可能にするハードウェア２３２５を備える。ハードウェア２３２５は、通信システム２３００の異なる通信デバイスのインターフェースとの有線接続または無線接続をセットアップおよび維持するための通信インターフェース２３２６、ならびに基地局２３２０によってサーブされるカバレッジエリア（図２３に図示せず）中に位置するＵＥ２３３０との少なくとも無線接続２３７０をセットアップおよび維持するための無線インターフェース２３２７を含み得る。通信インターフェース２３２６は、ホストコンピュータ２３１０への接続２３６０を容易にするように設定され得る。接続２３６０は直接であり得るか、あるいは、接続２３６０は、通信システムのコアネットワーク（図２３に図示せず）を、および／または通信システムの外部の１つまたは複数の中間ネットワークを通過し得る。図示の実施形態では、基地局２３２０のハードウェア２３２５は、処理回路要素２３２８をさらに含み、処理回路要素２３２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局２３２０は、内部的に記憶されるかまたは外部接続を介してアクセス可能なソフトウェア２３２１をさらに有する。
【０１７２】
通信システム２３００は、すでに言及されたＵＥ２３３０をさらに含む。ＵＥ２３３０のハードウェア２３３５は、ＵＥ２３３０が現在位置するカバレッジエリアをサーブする基地局との無線接続２３７０をセットアップおよび維持するように設定された、無線インターフェース２３３７を含み得る。ＵＥ２３３０のハードウェア２３３５は、処理回路要素２３３８をさらに含み、処理回路要素２３３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ２３３０は、ＵＥ２３３０に記憶されるかまたはＵＥ２３３０によってアクセス可能であり、処理回路要素２３３８によって実行可能である、ソフトウェア２３３１をさらに備える。ソフトウェア２３３１は、クライアントアプリケーション２３３２を含む。クライアントアプリケーション２３３２は、ホストコンピュータ２３１０のサポートのもとに、ＵＥ２３３０を介して人間のまたは人間でないユーザにサービスを提供するように動作可能であり得る。ホストコンピュータ２３１０では、実行しているホストアプリケーション２３１２は、ＵＥ２３３０およびホストコンピュータ２３１０において終端するＯＴＴ接続２３５０を介して、実行しているクライアントアプリケーション２３３２と通信し得る。ユーザにサービスを提供する際に、クライアントアプリケーション２３３２は、ホストアプリケーション２３１２から要求データを受信し、要求データに応答してユーザデータを提供し得る。ＯＴＴ接続２３５０は、要求データとユーザデータの両方を転送し得る。クライアントアプリケーション２３３２は、クライアントアプリケーション２３３２が提供するユーザデータを生成するためにユーザと対話し得る。
【０１７３】
図２３に示されているホストコンピュータ２３１０、基地局２３２０およびＵＥ２３３０は、それぞれ、図２２のホストコンピュータ２２３０、基地局２２１２ａ、２２１２ｂ、２２１２ｃのうちの１つ、およびＵＥ２２９１、２２９２のうちの１つと同様または同等であり得ることに留意されたい。つまり、これらのエンティティの内部の働きは、図２３に示されているようなものであり得、別個に、周囲のネットワークトポロジーは、図２２のものであり得る。
【０１７４】
図２３では、ＯＴＴ接続２３５０は、仲介デバイスとこれらのデバイスを介したメッセージの正確なルーティングとへの明示的言及なしに、基地局２３２０を介したホストコンピュータ２３１０とＵＥ２３３０との間の通信を示すために抽象的に描かれている。ネットワークインフラストラクチャが、ルーティングを決定し得、ネットワークインフラストラクチャは、ＵＥ２３３０からまたはホストコンピュータ２３１０を動作させるサービスプロバイダから、またはその両方からルーティングを隠すように設定され得る。ＯＴＴ接続２３５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１７５】
ＵＥ２３３０と基地局２３２０との間の無線接続２３７０は、本開示全体にわたって説明される実施形態の教示に従う。様々な実施形態のうちの１つまたは複数は、無線接続２３７０が最後のセグメントを形成するＯＴＴ接続２３５０を使用して、ＵＥ２３３０に提供されるＯＴＴサービスの性能を改善する。より正確には、これらの実施形態の教示は、レイテンシおよび電力消費を改善し、それにより、より良い応答性および延張されたバッテリー寿命などの利益を提供し得る。
【０１７６】
１つまたは複数の実施形態が改善する、データレート、レイテンシおよび他のファクタを監視する目的での、測定プロシージャが提供され得る。測定結果の変動に応答して、ホストコンピュータ２３１０とＵＥ２３３０との間のＯＴＴ接続２３５０を再設定するための随意のネットワーク機能性がさらにあり得る。測定プロシージャおよび／またはＯＴＴ接続２３５０を再設定するためのネットワーク機能性は、ホストコンピュータ２３１０のソフトウェア２３１１およびハードウェア２３１５でまたはＵＥ２３３０のソフトウェア２３３１およびハードウェア２３３５で、またはその両方で実装され得る。実施形態では、ＯＴＴ接続２３５０が通過する通信デバイスにおいてまたはそれに関連して、センサー（図示せず）が展開され得、センサーは、上記で例示された監視された量の値を供給すること、またはソフトウェア２３１１、２３３１が監視された量を算出または推定し得る他の物理量の値を供給することによって、測定プロシージャに参加し得る。ＯＴＴ接続２３５０の再設定は、メッセージフォーマット、再送信セッティング、好ましいルーティングなどを含み得、再設定は、基地局２３２０に影響を及ぼす必要がなく、再設定は、基地局２３２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ２３１０の測定を容易にするプロプライエタリＵＥシグナリングを伴い得る。測定は、ソフトウェア２３１１および２３３１が、ソフトウェア２３１１および２３３１が伝搬時間、エラーなどを監視する間にＯＴＴ接続２３５０を使用して、メッセージ、特に空のまたは「ダミー」メッセージが送信されることを引き起こすことにおいて、実装され得る。
【０１７７】
図２４は、いくつかの実施形態による、ホストコンピュータと、基地局と、ユーザ機器とを含む通信システムにおいて実装される方法を示すフローチャートである。通信システムは、図２２および図２３を参照しながら説明されたものであり得る、ホストコンピュータと基地局とＵＥとを含む。本開示の簡単のために、図２４への図面参照のみがこのセクションに含まれる。ステップ２４１０において、ホストコンピュータはユーザデータを提供する。ステップ２４１０の（随意であり得る）サブステップ２４１１において、ホストコンピュータは、ホストアプリケーションを実行することによって、ユーザデータを提供する。ステップ２４２０において、ホストコンピュータは、ＵＥにユーザデータを搬送する送信を始動する。（随意であり得る）ステップ２４３０において、基地局は、本開示全体にわたって説明される実施形態の教示に従って、ホストコンピュータが始動した送信において搬送されたユーザデータをＵＥに送信する。（また、随意であり得る）ステップ２４４０において、ＵＥは、ホストコンピュータによって実行されるホストアプリケーションに関連付けられたクライアントアプリケーションを実行する。
【０１７８】
図２５は、いくつかの実施形態による、ホストコンピュータと、基地局と、ユーザ機器とを含む通信システムにおいて実装される方法を示すフローチャートである。通信システムは、図２２および図２３を参照しながら説明されたものであり得る、ホストコンピュータと基地局とＵＥとを含む。本開示の簡単のために、図２５への図面参照のみがこのセクションに含まれる。方法のステップ２５１０において、ホストコンピュータはユーザデータを提供する。随意のサブステップ（図示せず）において、ホストコンピュータは、ホストアプリケーションを実行することによって、ユーザデータを提供する。ステップ２５２０において、ホストコンピュータは、ＵＥにユーザデータを搬送する送信を始動する。送信は、本開示全体にわたって説明される実施形態の教示に従って、基地局を介して進み得る。（随意であり得る）ステップ２５３０において、ＵＥは、送信において搬送されたユーザデータを受信する。
【０１７９】
図２６は、一実施形態による、ホストコンピュータと、基地局と、ユーザ機器とを含む通信システムにおいて実装される方法を示すフローチャートである。通信システムは、図２２および図２３を参照しながら説明されたものであり得る、ホストコンピュータと基地局とＵＥとを含む。本開示の簡単のために、図２６への図面参照のみがこのセクションに含まれる。（随意であり得る）ステップ２６１０において、ＵＥは、ホストコンピュータによって提供された入力データを受信する。追加または代替として、ステップ２６２０において、ＵＥはユーザデータを提供する。ステップ２６２０の（随意であり得る）サブステップ２６２１において、ＵＥは、クライアントアプリケーションを実行することによって、ユーザデータを提供する。ステップ２６１０の（随意であり得る）サブステップ２６１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ２６３０において、ホストコンピュータへのユーザデータの送信を始動する。方法のステップ２６４０において、ホストコンピュータは、本開示全体にわたって説明される実施形態の教示に従って、ＵＥから送信されたユーザデータを受信する。図２７は、いくつかの実施形態による、ホストコンピュータと、基地局と、ユーザ機器とを含む通信システムにおいて実装される方法を示すフローチャートである。通信システムは、図２２および図２３を参照しながら説明されたものであり得る、ホストコンピュータと基地局とＵＥとを含む。本開示の簡単のために、図２７への図面参照のみがこのセクションに含まれる。（随意であり得る）ステップ２７１０において、本開示全体にわたって説明される実施形態の教示に従って、基地局は、ＵＥからユーザデータを受信する。（随意であり得る）ステップ２７２０において、基地局は、ホストコンピュータへの、受信されたユーザデータの送信を始動する。（随意であり得る）ステップ２７３０において、ホストコンピュータは、基地局によって始動された送信において搬送されたユーザデータを受信する。
【０１８０】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得るメモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１８１】
以下の略語のうちの少なくともいくつかが本開示で使用され得る。略語間で不一致がある場合、その略語が上記でどのように使用されたかが優先されるべきである。以下で複数回リストされる場合、第１のリスティングが（１つまたは複数の）後続のリスティングよりも優先されるべきである。
【０１８２】
１ｘ  ＲＴＴ  ＣＤＭＡ２０００  １ｘ無線送信技術
３ＧＰＰ  第３世代パートナーシッププロジェクト
５Ｇ  第５世代
５ＧＳ  ５Ｇシステム
５ＧＭＭ  ５ＧＳモビリティ管理
５ＧＳＭ  ５ＧＳセッション管理
５ＱＩ  ５Ｇ  ＱｏＳ識別子
ＡＢＳ  オールモストブランクサブフレーム
ＡＭＦ  アクセスおよびモビリティ管理機能
ＡＮ  アクセスネットワーク
ＡＮ  アクセスノード
ＡＲＱ  自動再送要求
ＡＳ  アクセス層
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＮＮ  データネットワーク名
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
ＥＰＳ  エボルブドパケットシステム
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  （ＬＴＥにおけるｅＮＢに対応する）ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭＩＢ  マスタ情報ブロック
ＭＭＥ  モビリティ管理エンティティ
ＭＳＣ  モバイルスイッチングセンター
ＮＡＳ  非アクセス層
ＮＢ−ＩｏＴ  狭帯域モノのインターネット
ＮＰＤＣＣＨ  狭帯域物理ダウンリンク制御チャネル
ＮＲ  新しい無線
ＯＣＮＧ  ＯＦＤＭＡチャネル雑音生成器
ＯＦＤＭ  直交周波数分割多重
ＯＦＤＭＡ  直交周波数分割多元接続
ＯＳＳ  運用サポートシステム
ＯＴＤＯＡ  観測到達時間差
Ｏ＆Ｍ  運用保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＭＳｏＩＰ  ショートメッセージサービス（ＳＭＳ）オーバーＩＰ
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＡＣ  ユニファイドアクセス制御
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  ユニバーサル加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
【図１】
2021510976.tif 000003
【図２】
2021510976.tif 000004
【図３】
2021510976.tif 000005
【図４】
2021510976.tif 000006
【図５】
2021510976.tif 000007
【図６】
2021510976.tif 000008
【図７Ａ】
2021510976.tif 000009
【図７Ｂ】
2021510976.tif 000010
【図８Ａ】
2021510976.tif 000011
【図８Ｂ】
2021510976.tif 000012
【図９】
2021510976.tif 000013
【図１０】
2021510976.tif 000014
【図１１】
2021510976.tif 000015
【図１２】
2021510976.tif 000016
【図１３】
2021510976.tif 000017
【図１４】
2021510976.tif 000018
【図１５】
2021510976.tif 000019
【図１６】
2021510976.tif 000020
【図１７】
2021510976.tif 000021
【図１８】
2021510976.tif 000022
【図１９】
2021510976.tif 000023
【図２０】
2021510976.tif 000024
【図２１】
2021510976.tif 000025
【図２２】
2021510976.tif 000026
【図２３】
2021510976.tif 000027
【図２４】
2021510976.tif 000028
【図２５】
2021510976.tif 000029
【図２６】
2021510976.tif 000030
【図２７】
2021510976.tif 000031
【図２８】
2021510976.tif 000032
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）を動作させる方法であって、
アクセス試行のために適用されるべき、複数のアクセスカテゴリーからのアクセスカテゴリーと複数のアクセス識別情報からの少なくとも１つのアクセス識別情報とを決定すること（２８０５、９０３、１１０３）と、
前記複数のアクセスカテゴリーから決定された前記アクセスカテゴリーに基づいて、かつ前記複数のアクセス識別情報からの前記少なくとも１つのアクセス識別情報に基づいて、前記アクセス試行のための確立原因を決定すること（２８０７、１１０４）と、
無線通信ネットワークに前記アクセス試行のための接続要求メッセージを送信すること（２８１５、１１０５）であって、前記接続要求メッセージが、前記アクセスカテゴリーに基づいて、かつ前記少なくとも１つのアクセス識別情報に基づいて決定された前記確立原因を含む、前記アクセス試行のための接続要求メッセージを送信すること（２８１５、１１０５）と
を含む、方法。
【請求項２】
前記確立原因が、モバイル着信アクセスと、緊急呼と、モバイル発信シグナリングと、モバイル発信ボイス呼と、モバイル発信データと、高優先度アクセスとを含む、複数の確立原因のうちの１つを含む、請求項１に記載の方法。
【請求項３】
前記確立原因が、前記アクセスカテゴリーに基づいておよび前記少なくとも１つのアクセス識別情報に基づいて、前記複数のアクセスカテゴリーから決定された前記アクセスカテゴリーを前記確立原因にマッピングすることに基づいてモバイル着信アクセス、緊急呼、モバイル発信シグナリング、モバイル発信ボイス呼、および／またはモバイル発信データのうちの１つであるものとして決定される、請求項２に記載の方法。
【請求項４】
前記確立原因は、前記複数のアクセスカテゴリーから決定された前記アクセスカテゴリーを前記確立原因にマッピングすることに基づいて、および前記ＵＥのための前記少なくとも１つのアクセス識別情報が０であることに基づいて決定される、請求項３に記載の方法。
【請求項５】
前記複数のアクセスカテゴリーがオペレータ規定アクセスカテゴリーを含み、前記オペレータ規定アクセスカテゴリーが、データネットワーク名とスライス識別子とのうちの少なくとも１つに基づく、請求項３または４に記載の方法。
【請求項６】
前記無線通信ネットワークから前記オペレータ規定アクセスカテゴリーを受信すること（２８０１、９０１）
をさらに含み、
前記アクセスカテゴリーおよび前記少なくとも１つのアクセス識別情報を決定することは、前記オペレータ規定アクセスカテゴリーが前記アクセス試行のために適用されるべきであると決定することを含み、前記確立原因が、前記オペレータ規定アクセスカテゴリーを前記確立原因にマッピングすることに基づいて決定される、請求項５に記載の方法。
【請求項７】
前記オペレータ規定アクセスカテゴリーが、データネットワーク名とスライス識別子とのうちの少なくとも１つに基づき、前記オペレータ規定アクセスカテゴリーをマッピングすることが、モバイル発信データのために前記オペレータ規定アクセスカテゴリーを前記確立原因にマッピングすることを含む、請求項６に記載の方法。
【請求項８】
前記確立原因は、前記ＵＥのための前記少なくとも１つのアクセス識別情報が非０であることに基づいて、高優先度アクセスであるものとして決定される、請求項２に記載の方法。
【請求項９】
前記複数のアクセスカテゴリーから決定された前記アクセスカテゴリーに基づいておよび前記複数のアクセス識別情報からの前記少なくとも１つのアクセス識別情報に基づいて、前記アクセス試行のためのアクセス規制チェックを実施すること（２８０９、９０６）と、
前記アクセス規制チェックが前記アクセス試行を許可したことに応答して、アクセス試行を進めること（２８１１、２８１３、９０８）と
をさらに含む、請求項１から８のいずれか一項に記載の方法。
【請求項１０】
前記アクセス試行を進めることが、
前記アクセス規制チェックが前記アクセス試行を許可したことに応答して、無線通信ネットワークに前記アクセス試行のためのランダムアクセスプリアンブルを送信すること（２８１１、２０１）と、
前記ランダムアクセスプリアンブルを送信した後に前記アクセス試行のためのランダムアクセス応答を受信すること（２８１３、２０２）と
を含み、
前記接続要求メッセージが、前記ランダムアクセス応答を受信したことに応答して送信される、請求項９に記載の方法。
【請求項１１】
アクセス試行を検出すること（２８０３、９０２）
をさらに含み、
前記アクセスカテゴリーが前記アクセス試行に基づいて決定される、請求項１から１０のいずれか一項に記載の方法。
【請求項１２】
前記アクセス試行が、新しいプロトコルデータユニット（ＰＤＵ）セッションを確立することと、ボイス呼をセットアップすることと、ビデオ呼をセットアップすることとのうちの少なくとも１つに基づいて検出される、請求項１１に記載の方法。
【請求項１３】
前記接続要求メッセージが無線リソース制御（ＲＲＣ）接続要求メッセージであり、前記確立原因がＲＲＣ確立原因である、請求項１から１２のいずれか一項に記載の方法。
【請求項１４】
前記接続要求メッセージが無線リソース制御（ＲＲＣ）再開要求メッセージであり、前記確立原因がＲＲＣ再開原因である、請求項１から１２のいずれか一項に記載の方法。
【請求項１５】
ユーザ機器（ＵＥ）であって、前記ＵＥは、
アクセス試行のために適用されるべき、複数のアクセスカテゴリーからのアクセスカテゴリーと複数のアクセス識別情報からの少なくとも１つのアクセス識別情報とを決定することと、
前記複数のアクセスカテゴリーから決定された前記アクセスカテゴリーに基づいて、かつ前記複数のアクセス識別情報からの前記少なくとも１つのアクセス識別情報に基づいて、前記アクセス試行のための確立原因を決定することと、
無線通信ネットワークに前記アクセス試行のための接続要求メッセージを送信することであって、前記接続要求メッセージが、前記アクセスカテゴリーに基づいて、かつ前記少なくとも１つのアクセス識別情報に基づいて決定された前記確立原因を含む、前記アクセス試行のための接続要求メッセージを送信することと
を行うように適応された、ユーザ機器（ＵＥ）。
【請求項１６】
前記確立原因が、モバイル着信アクセスと、緊急呼と、モバイル発信シグナリングと、モバイル発信ボイス呼と、モバイル発信データと、高優先度アクセスとを含む、複数の確立原因のうちの１つを含む、請求項１５に記載のＵＥ。
【請求項１７】
前記確立原因が、前記アクセスカテゴリーに基づいておよび前記少なくとも１つのアクセス識別情報に基づいて、前記複数のアクセスカテゴリーから決定された前記アクセスカテゴリーを前記確立原因にマッピングすることに基づいてモバイル着信アクセス、緊急呼、モバイル発信シグナリング、モバイル発信ボイス呼、および／またはモバイル発信データのうちの１つであるものとして決定される、請求項１６に記載のＵＥ。
【請求項１８】
前記確立原因は、前記複数のアクセスカテゴリーから決定された前記アクセスカテゴリーを前記確立原因にマッピングすることに基づいて、および前記ＵＥのための前記少なくとも１つのアクセス識別情報が０であることに基づいて決定される、請求項１７に記載のＵＥ。
【請求項１９】
前記複数のアクセスカテゴリーがオペレータ規定アクセスカテゴリーを含み、前記オペレータ規定アクセスカテゴリーが、データネットワーク名とスライス識別子とのうちの少なくとも１つに基づく、請求項１７または１８に記載のＵＥ。
【請求項２０】
前記ＵＥが、
前記無線通信ネットワークから前記オペレータ規定アクセスカテゴリーを受信すること
を行うようにさらに適応され、
前記アクセスカテゴリーおよび前記少なくとも１つのアクセス識別情報を決定することは、前記オペレータ規定アクセスカテゴリーが前記アクセス試行のために適用されるべきであると決定することを含み、前記確立原因が、前記オペレータ規定アクセスカテゴリーを前記確立原因にマッピングすることに基づいて決定される、請求項１９に記載のＵＥ。
【請求項２１】
前記オペレータ規定アクセスカテゴリーが、データネットワーク名とスライス識別子とのうちの少なくとも１つに基づき、前記オペレータ規定アクセスカテゴリーをマッピングすることが、モバイル発信データのために前記オペレータ規定アクセスカテゴリーを前記確立原因にマッピングすることを含む、請求項２０に記載のＵＥ。
【請求項２２】
前記確立原因は、前記ＵＥのための前記少なくとも１つのアクセス識別情報が非０であることに基づいて、高優先度アクセスであるものとして決定される、請求項１６に記載のＵＥ。
【国際調査報告】
2021510976.tif 000033
2021510976.tif 000034
2021510976.tif 000035
2021510976.tif 000036